(57)【要約】【課題】従来技術の無声通話機能付情報通信端末では、オフフックから文字モードとするまでユーザーによるキー操作としてスリーアクションが必要となり、ユーザーにとって文字モードでの通話までに手間がかかった。また、文字モードでの通話までに手間がかかることにより、相手への応答が遅れてしまうことがあった。【解決手段】上記課題を解決するために本発明の無声通話機能付情報通信端末は、音声通話用オフフックキー部に含まれる第一ボタンと文字通話用オフフックキー部に含まれる第二ボタンの２つのボタンを設けることによって、文字通話用オフフックキー部の第二ボタンを押下すれば、オフフックと文字モードの選択を１度で行うことができる構成とし、手間のかかる煩わしさの解消や応答遅れの解消とすることを特徴とする。【選択図】図２
2011139505.tif 000002
【特許請求の範囲】
【請求項１】
音声モードを実行するためのマイクを含む音声通話処理部と、
文字モードを実行するため文字入力に応じて音声を出力する文字通話処理部と、
前記音声通話処理部にて通話を実行したか、前記文字通話処理部にて通話を実行したかを示す通話履歴情報を記録する通話履歴情報記録部と、
各処理部を制御するための制御部と、
を有する無声通話機能付情報通信端末。
【請求項２】
前記制御部は、前記文字モードを実行時には前記音声通話処理部のマイクをＯＦＦ状態に制御するマイクＯＦＦ手段を有する請求項１に記載の無声通話機能付情報通信端末。
【請求項３】
前記音声モードにするための第一ボタンを有する音声通話用オフフックキー部と、
前記文字モードにするための第二ボタンを有する文字通話用オフフックキー部と、
をさらに有し、
前記制御部は、前記第二ボタンを利用したオフフックがあった場合にこれをトリガーとして発呼をするための処理を前記文字通話処理部に実行させる無声発呼処理手段を有する請求項１又は２に記載の無声通話機能付情報通信端末。
【請求項４】
前記音声モードにするための第一ボタンを有する音声通話用オフフックキー部と、
前記文字モードにするための第二ボタンを有する文字通話用オフフックキー部と、
をさらに有し、
前記制御部は、前記第二ボタンを利用したオフフックが着信時にあった場合には、これをトリガーとして応答をするための処理を前記文字通話処理部に実行させる無声応答処理手段を有する請求項１又は２に記載の無声通話機能付情報通信端末。
【請求項５】
着信をマナーモードとするためのマナーモード部を有し、
前記制御部は、前記マナーモード部が動作中は、前記音声通話処理部を機能させないマナーモード対応制御手段を有する請求項１から４のいずれか一に記載の無声通話機能付情報通信端末。
【請求項６】
前記制御部は、前記音声モードが実行されている最中に、前記第二ボタンが押下された場合には前記文字モードを機能させるとともに前記音声通話処理部のマイクをＯＦＦ状態に制御する第二マイクＯＦＦ手段を有する請求項３又は４に記載の無声通話機能付情報通信端末。
【請求項７】
前記制御部は、前記文字モードが実行されている最中に、前記第一ボタンが押下された場合には前記音声モードを機能させるとともに前記音声通話処理部のマイクをＯＮ状態に制御するマイクＯＮ手段を有する請求項３、４又は６のいずれか一に記載の無声通話機能付情報通信端末。
【請求項８】
前記音声モードと、前記文字モードと、を長押し短押しにて識別するためのオフフックキーである第二オフフックキー部を有する請求項1又は２に記載の無声通話機能付情報通信端末。
【請求項９】
前記音声モードと、前記文字モードと、をトグル切替えするための切替キー部を有する請求項1又は２に記載の無声通話機能付情報通信端末。
【請求項１０】
通話履歴情報記録部にて記録されている通話履歴情報に基づいて通話履歴を表示する通話履歴表示部を有する請求項１から９のいずれか一に記載の無声通話機能付情報通信端末。
【請求項１１】
前記通話履歴表示部は、前記音声通話処理部にて通話を実行したか、前記文字通話処理部にて通話を実行したかをアイコン又は／及び文字の色別表示により示す簡易表示手段を有する請求項１０に記載の無声通話機能付情報通信端末。
【請求項１２】
前記制御部は、前記文字モードで通話する場合には通話相手方に対し文字モードで通話していることを通知するように構成されていることを特徴とする請求項１から１１のいずれか一に記載の無声通話機能付情報通信端末。
【請求項１３】
音声モードにするための音声通話用オフフックキー部と、文字モードにするための文字通話用オフフックキー部を有する無声通話機能付情報通信端末の制御方法であって、
非通話状態で前記音声通話用オフフックキー部でのオフフック又は、前記文字通話用オフフックキー部でのオフフックを検知する第一オフフック検知ステップと、
前記第一オフフック検知ステップにて検知されたオフフックに応じて非通話状態から音声通話による発着呼可能状態である前記音声モード又は、前記文字通話による発着呼可能状態である前記文字モードに切換える第一切換ステップと、
音声モード又は文字モードのいずれで通話したかを示す通話履歴情報を記録する通話履歴情報記録ステップと、
を有する無声通話機能付情報通信端末の制御方法。
【請求項１４】
音声モードにするための音声通話用オフフックキー部と、文字モードにするための文字通話用オフフックキー部を有する無声通話機能付情報通信端末の制御方法であって、
音声通話状態で前記文字通話用オフフックキー部でのオフフックを検知する第二オフフック検知ステップと、
前記第二オフフック検知ステップにて検知されたオフフックに応じて前記音声通話状態から前記文字モードでの通話状態に切換える第二切換ステップと、
音声モード又は文字モードのいずれで通話したかを示す通話履歴情報を記録する通話履歴情報記録ステップと、
を有する無声通話機能付情報通信端末の制御方法。
【請求項１５】
音声モードにするための音声通話用オフフックキー部と、文字モードにするための文字通話用オフフックキー部を有する無声通話機能付情報通信端末の制御方法であって、
文字通話状態で前記音声通話用オフフックキー部でのオフフックを検知する第三オフフック検知ステップと、
前記第三オフフック検知ステップにて検知されたオフフックに応じて前記文字通話状態から前記音声モードでの通話状態に切換える第三切換ステップと、
音声モード又は文字モードのいずれで通話したかを示す通話履歴情報を記録する通話履歴情報記録ステップと、
を有する無声通話機能付情報通信端末の制御方法。
【発明の詳細な説明】
【技術分野】
【０００１】
通信機器の無声電話に関する。
【背景技術】
【０００２】
従来の情報通信端末では、会議中や電車の中等周囲の状況から声を出して応答できない場合、予め登録した音声メッセージで応答する方法があった（特許文献１参照）。この電話機の構成は、オフフックキー部が１つ、音声モードと文字モードの切換スイッチが１つという構成であった。
【０００３】
ここで「音声モード」とは、音声通話モードの略であり、通常の携帯電話機と同様、自分で発した音声にて相手と通話する通話モードのことを指す。また「文字モード」とは、文字通話モードの略であり、電車内や職場、図書室などの公共の場や通話に相応しくない場所において、相手に伝えたいメッセージを文字入力、または予め用意されているメッセージの中から選択し、それらのメッセージを音声変換して送信することで喋らずに会話をするといった通話モードのことを指す。
【先行技術文献】
【特許文献】
【０００４】
【特許文献１】特開平６−２５２９８８
【発明の概要】
【発明が解決しようとする課題】
【０００５】
従来技術の無声通話機能付情報通信端末では、ユーザーがオンフック状態から文字モードで通話を行いたいとき、ユーザーの操作により以下の手順を経て文字モードに設定する必要があった。まず、ユーザーがオフフックキー部を押下することで情報通信端末をオフフック状態とする。次にユーザーが音声モードと文字モードの切換スイッチを押下することで音声モードから文字モードへの切換を行う。更にユーザーがメニューを選択したり、マイクＯＦＦキーを押下することによりマイクをＯＦＦする。以上の操作を経て初めて文字モードによる通話が可能となる。
【０００６】
よって、オフフックから文字モードとするまでユーザーによるキー操作としてスリーアクションが必要となり、ユーザーにとって文字モードでの通話までに手間がかかった。また、文字モードでの通話までに手間がかかることにより、相手への応答が遅れてしまうことがあった。
【課題を解決するための手段】
【０００７】
上記課題を解決するために本発明の無声通話機能付情報通信端末は、音声通話用オフフックキー部に含まれる第一ボタンと文字通話用オフフックキー部に含まれる第二ボタンの２つのボタンを設けることによって、文字通話用オフフックキー部の第二ボタンを押下すれば、オフフックと文字モードの選択を１度で行うことができる構成とし、手間のかかる煩わしさの解消や応答遅れの解消とすることを特徴とする。
【０００８】
具体的には、本発明の無声通話機能付情報通信端末は、音声モードを実行するためのマイクを含む音声通話処理部と、文字モードを実行するため文字入力に応じて音声を出力する文字通話処理部と、音声モードにするための第一ボタンを有する音声通話用オフフックキー部と、文字モードにするための第二ボタンを有する文字通話用オフフックキー部と、各処理部を制御するための制御部とを有することを特徴とする。
【０００９】
また、上記無声通話機能付情報通信端末においてオンフック状態から、ユーザーが文字通話用オフフックキー部に含まれる第二ボタンを１回押下するだけで、ワンアクションでオフフックと文字モードの選択、マイクＯＦＦまでを無声通話機能付情報通信端末が自動でおこない、手間のかかる煩わしさや応答遅れの解消となることを特徴とする。
【００１０】
具体的には、上記無声通話機能付情報通信端末において、制御部は、第二ボタンを利用して文字通話用オフフックキー部がオフフックされた場合には音声通話処理部のマイクをＯＦＦ状態にするマイクＯＦＦ手段を有することを特徴とする。
【発明の効果】
【００１１】
音声通話用オフフックキー部に含まれる第一ボタンと文字通話用オフフックキー部に含まれる第二ボタンの２つのボタンを設けることによって、ユーザーがオンフック状態から文字モードで通話したい場合でも、ワンアクションでオフフックと文字モードの選択、マイクＯＦＦが行える。そのため、無声通話機能付情報通信端末でユーザーにとって文字モードでの通話までに手間がかかる煩わしさを解消できるという効果を奏する。また、文字モードでの通話までに手間がかからないので、相手への応答が遅れてしまうなどの問題を解消できるという効果を奏する。
【００１２】
また、文字通話用オフフックキー部でオフフックすることによって自動的に文字モードの選択とマイクのＯＦＦをするので、文字モードのときは省電力になると共に通信相手に余計な音声ノイズを送信しないといった効果も奏する。
【図面の簡単な説明】
【００１３】
【図１】実施形態１の無声通話機能付情報通信端末によるキー配置の一例を表す概念図。
【図２】実施形態１の無声通話機能付情報通信端末における機能ブロックの一例を表す図。
【図３】実施形態１の無声通話機能付情報通信端末における処理の流れの一例を表すフローチャート。
【図４】実施形態１の無声通話機能付情報通信端末における処理の流れの一例を表すフローチャート。
【図５】実施形態１の無声通話機能付情報通信端末における処理の流れの一例を表すフローチャート。
【図６】実施形態１の無声通話機能付情報通信端末におけるハードウェア構成の一例を表す図。
【図７】実施形態２の無声通話機能付情報通信端末における機能ブロックの一例を表す図。
【図８】実施形態２の無声通話機能付情報通信端末における処理の流れの一例を表すフローチャート。
【図９】実施形態２の無声通話機能付情報通信端末における処理の流れの一例を表すフローチャート。
【図１０】実施形態３の無声通話機能付情報通信端末によるキー配置の一例を表す概念図。
【図１１】実施形態３の無声通話機能付情報通信端末によるキー配置のさらに別の一例を表す概念図。
【図１２】実施形態４の無声通話機能付情報通信端末における機能ブロックの一例を表す図。
【図１３】実施形態４の無声通話機能付情報通信端末における処理の流れの一例を表すフローチャート。
【図１４】実施形態５の無声通話機能付情報通信端末における機能ブロックの一例を表す図。
【図１５】実施形態５の無声通話機能付情報通信端末における処理の流れの一例を表すフローチャート。
【図１６】実施形態６の無声通話機能付情報通信端末における機能ブロックの一例を表す図。
【図１７】実施形態６の無声通話機能付情報通信端末における処理の流れの一例を表すフローチャート。
【図１８】実施形態６の無声通話機能付情報通信端末におけるハードウェア構成の一例を表す図。
【図１９】実施形態７の無声通話機能付情報通信端末における機能ブロックの一例を表す図。
【図２０】実施形態７の無声通話機能付情報通信端末における処理の流れの一例を表すフローチャート。
【図２１】実施形態８の無声通話機能付情報通信端末における機能ブロックの一例を表す図。
【図２２】実施形態８の無声通話機能付情報通信端末における処理の流れの一例を表すフローチャート。
【図２３】実施形態９の無声通話機能付情報通信端末によるキー配置の一例を表す概念図。
【図２４】実施形態９の無声通話機能付情報通信端末における機能ブロックの一例を表す図。
【図２５】実施形態９の無声通話機能付情報通信端末における処理の流れの一例を表すフローチャート。
【図２６】実施形態９の無声通話機能付情報通信端末における処理の流れの一例を表すフローチャート。
【図２７】実施形態９の無声通話機能付情報通信端末における処理の流れの一例を表すフローチャート。
【図２８】実施形態９の無声通話機能付情報通信端末におけるハードウェア構成の一例を表す図。
【図２９】実施形態１０の無声通話機能付情報通信端末における機能ブロックの一例を表す図。
【図３０】実施形態１０の無声通話機能付情報通信端末における処理の流れの一例を表すフローチャート。
【図３１】実施形態１０の無声通話機能付情報通信端末における処理の流れの一例を表すフローチャート。
【図３２】実施形態１０の無声通話機能付情報通信端末における処理の流れの一例を表すフローチャート。
【図３３】実施形態１０の無声通話機能付情報通信端末におけるハードウェア構成の一例を表す図。
【図３４】実施形態１１の無声通話機能付情報通信端末における機能ブロックの一例を表す図。
【図３５】実施形態１１の無声通話機能付情報通信端末における処理の流れの一例を表すフローチャート。
【図３６】実施形態１１の無声通話機能付情報通信端末における処理の流れの一例を表すフローチャート。
【図３７】実施形態１１の無声通話機能付情報通信端末における処理の流れの一例を表すフローチャート。
【図３８】実施形態１１の無声通話機能付情報通信端末における処理の流れの一例を表すフローチャート。
【図３９】実施形態１１の無声通話機能付情報通信端末におけるハードウェア構成の一例を表す図。
【図４０】実施形態１２の無声通話機能付情報通信端末における機能ブロックの一例を表す図。
【図４１】実施形態１２の無声通話機能付情報通信端末における処理の流れの一例を表すフローチャート。
【発明を実施するための形態】
【００１４】
以下に本発明の実施形態について図面を参照して詳細に説明する。なお、以下の実施形態のキー配置の概念図では、一例として携帯電話機のテンキーなどのキー配列を例として取り上げているが、このことは本発明の実施形態を携帯電話機に限定させるものではない。すなわち、本発明の実施形態としては、通話機能付のパーソナルコンピューターやモバイルコンピューター、ＰＤＡなど、様々な通話機能付情報通信端末で実施しうるものである。さらに、本発明はこれら実施の形態に何ら限定されるものではなく、その要旨を逸脱しない範囲において、種々なる態様で実施しうるものである。
【００１５】
なお、以下の実施形態と請求項の関係は次の通りである。実施形態１は、主に請求項１について説明する。実施形態２は、主に請求項２について説明する。実施形態４は、主に請求項３について説明する。実施形態５は、主に請求項４と１３について説明する。実施形態６は、主に請求項５について説明する。実施形態７は、主に請求項６と１４について説明する。実施形態８は、主に請求項７と１５について説明する。実施形態９は、主に請求項８について説明する。実施形態１０は、主に請求項９について説明する。実施形態１１は、主に請求項１、１１、１３、１４及び１５について説明する。実施形態１２は、主に請求項１１について説明する。
【００１６】
〈〈実施形態１〉〉
【００１７】
〈実施形態１の概要〉
【００１８】
図１に本実施形態のキー配置の概念図を示す。本実施形態では、無声通話機能付情報通信端末において、音声通話用オフフックキー部に含まれる第一ボタンと文字通話用オフフックキー部に含まれる第二ボタンの２つのボタンを設けていることを第一の特徴とする。さらに前記２つのオフフックキー部を備えたことにより、オンフック状態から文字通話用オフフックキー部に含まれる第二ボタンを押下したときには、オフフックと同時に文字モードでの通話が可能となることを第二の特徴とする。第二の特徴とは具体的には、オンフック状態から文字通話用オフフックキー部に含まれる第二ボタンを押下しただけで、従来のオフフックキー部を押下した場合のオフフック機能と、従来の音声モードと文字モードの切換スイッチを押下することによる音声モードから文字モードへの切換機能と、が同時に発動する、というものである。
【００１９】
すなわち、図１に示す音声通話用オフフックキー部に含まれる第一ボタン（０１０１）を押下したときはオフフックと同時に音声モードとし、図１に示す文字通話用オフフックキー部に含まれる第二ボタン（０１０２）を押下したときはオフフックと同時に文字モードとするものである。
【００２０】
〈実施形態１の構成〉
【００２１】
図２に本実施形態の機能ブロック図の一例を示す。図２に示す本実施形態の「無声通話機能付情報通信端末」（０２００）は、「音声通話処理部」（０２０１）と、「文字通話処理部」（０２０２）と、「音声通話用オフフックキー部」（０２０３）と、「文字通話用オフフックキー部」（０２０４）と、「制御部」（０２０５）と、を有する。
【００２２】
本件発明の構成要素である各部、各手段、各器は、ハードウェア、ソフトウェア、ハードウェアとソフトウェアの両者、のいずれかによって構成される。例えば、これらを実現する一例として、コンピュータを利用する場合には、ＣＰＵ、メモリ、バス、インターフェイス、周辺装置などから構成されるハードウェアと、これらのハードウェア上にて実行可能なソフトウェアを挙げることができる。具体的には、メモリ上に展開されたプログラムを順次実行することで、メモリ上のデータや、インターフェイスを介して入力されるデータの加工、蓄積、出力などにより各部の機能が実現される（本明細書の全体を通じて同様である）。
【００２３】
「音声通話処理部」（０２０１）は音声モードを実行するための「マイク」（０２０６）を含む。音声通話処理部は具体的には、無声通話機能付情報通信端末が音声モードに設定されている場合にユーザーが「マイク」（０２０６）に向かい音声入力を行ったとき、「マイク」（０２０６）から集音された音を、音声通話処理部内部の例えばアンプ（増幅器）、ノイズフィルター、Ａ／Ｄコンバーターなどにより増幅・雑音除去・Ａ／Ｄ変換処理し、音声通話用の音声データとして外部に出力するものである。
【００２４】
ここで「音声モード」とは、通常の携帯電話機と同様、自分で発した音声にて相手と通話する通話モードのことを指す。（本明細書の全体を通じて同様である）
【００２５】
「マイク」とは、音を電気信号に変換する機能を持つ機器を指す。よって、用途に応じて集音方式、集音特性などを選択すれば良く、本実施形態では集音方式、集音特性などを限定するものではない。（本明細書の全体を通じて同様である）
【００２６】
また、ノイズフィルターとしては、音声処理部の回路上のノイズ（電源ノイズなど）を除去する機能を有するものや、集音時の騒音（環境ノイズや走行音・風切り音のノイズなど）を除去する機能を有するもの、またはその組み合わせなどが考えられる。特性としては人の音声周波数帯のみ通過させるための２０〜２０ｋＨｚ帯のバンドパス特性やローパス特性を持つフィルターなどが考えられる。
【００２７】
「文字通話処理部」（０２０２）は文字モードを実行するため文字入力に応じて音声を出力する。具体的には、無声通話機能付情報通信端末が文字モードに設定されている場合に、ユーザーが文字入力を行ったとき、文字入力を音声データに変換した後、文字通話用の音声データとして外部に出力するものである。
【００２８】
ここで「文字モード」とは、電車内や職場、図書室などの公共の場や通話に相応しくない場所において、相手に伝えたいメッセージを文字入力、または予め用意されているメッセージの中から選択し、それらのメッセージを音声変換して送信することで喋らずに会話をするといった通話モードのことを指す。（本明細書の全体を通じて同様である）
【００２９】
無声通話機能付情報通信端末が文字モードであるときは、操作音（ユーザーがキー操作等したときに発する操作音）も出力しない処理があっても良い。（本明細書の全体を通じて同様である）
【００３０】
「文字入力」の方法は、具体例としては、携帯電話機などのテンキーやキーボード、文字認識機能付きタッチパネルやペンタブレット、などにより、単語に対応するキーによって入力する方法（以降「直接入力方法」と呼ぶこととする）が考えられる。また、ディスプレイ（ＣＲＴディスプレイや液晶ディスプレイなど）とポインティングデバイス（ＵＰ／ＤＯＷＮキーや、キーボード、マウス、タッチパッド、トラックポイント、タッチパネル、障害者用視線（認識）入力装置など）とを用い、ディスプレイ上に表示された予め用意されているメッセージの一覧をポインティングデバイスで選択して入力する方法（以降「メッセージ選択方法」と呼ぶこととする）も考えられる。
【００３１】
また、タッチパネルの具体例としては、光学方式（赤外線マトリクス方式や赤外線イメージセンサ方式、赤外線走査方式など）や、感圧方式（抵抗膜方式など）、静電容量方式（アナログ容量結合方式など）、超音波方式（表面弾性波（ＳＡＷ）方式など）、電磁誘導方式、などによるものが考えられる。
【００３２】
さらに、メッセージ選択方法における一覧表示の表示内容の具体例としては、ワード単位、文章単位で、文字や文字に相当する記号や番号、アイコン、などにより表示されるものが考えられる。
【００３３】
以上を具体的に示すと、例えば携帯電話機などのテンキーから文字単位で'お'、'は'、'よ'、'う'と入力したり、液晶ディスプレイ上に表示された文章単位の一覧表示から、"おはよう"をマウスで選択することで入力する方法などである。
【００３４】
前記「文字入力に応じて音声を出力する」方法、すなわち、文字音声変換方法としては、具体例として、「音源を用いた変換方法」、「変換ルール（変換関数など）を用いた変換方法」、「音源と変換ルールを組み合わせた変換方法」などが考えられる。「音源を用いた変換方法」とは、入力文字と音源を直接的に対応させ、音源（又は音源の組み合わせ）を音声データとして出力する方法である。ここで「音源」には、文字単位、ワード単位、文章単位、の音源が考えられ、これらの音源は予め製品として組み込まれていた音源で有っても良いし、ユーザーが登録した音源であってもよい。「文字入力音源と変換ルールを組み合わせた変換方法」は具体例として、前記音源と、音源と音源とを組み合わせて自然な音声としたりイントネーションを適正化するための変更ルールと、を利用する声帯モデルによる変換方法（音声合成方法）などが考えられる。声帯モデルには、声帯をファジィ理論によってシステム同定したものや、声帯をニューラルネットワークによって学習させてシステム同定したもの、又はその組み合わせによるもの、その他のモデル化方法によるもの、が考えられる。「変換ルール（変換関数など）を用いた変換方法」とは、前記で音源を用いずに変更ルールのみを用いた方法である。
【００３５】
「音源を用いた変換方法」の文字入力方法は、前記「直接入力方法」であっても、前記「メッセージ選択方法」であっても良い。「直接入力方法」と「音源を用いた変換方法」とを組み合わせた方法とは、すなわち、ユーザーが都度入力した文字に対応する音源を音声データとして出力する方法である。「メッセージ選択方法」と「音源を用いた変換方法」とを組み合わせた方法としては以下の二通りが考えられる。すなわち、一つにはユーザーが選択したメッセージに対応する予め記録されたメッセージ単位の音源を、そのまま出力する方法である。もう一つとしては、ユーザーが選択したメッセージに対応する予め記録されたメッセージ単位の文字コードから、音源を用いた音声データを生成して、音声出力する方法である。
【００３６】
「変換ルールを用いた変換方法」の文字入力方法は、前記「直接入力方法」であっても、前記「メッセージ選択方法」であっても良い。「直接入力方法」と「変換ルールを用いた変換方法」とを組み合わせた方法とは、すなわち、ユーザーが都度入力した文字に対応する変換ルールを用い、音声データを生成して出力する方法である。「メッセージ選択方法」と「変換ルールを用いた変換方法」とを組み合わせた方法とは、すなわち、ユーザーが選択したメッセージに対応する予め記録されたメッセージ単位の文字コードから、変換ルールを用いた音声データを生成して、音声出力する方法である。「文字入力音源と変換ルールを組み合わせた変換方法」も同様であるため、説明は省略する。
【００３７】
さらに、前記「音源」や「変更ルール」、「メッセージ単位の文字コード」の記録媒体としては、無声通話機能付情報通信端末で内蔵されたハードディスクや、ＲＯＭやＲＡＭなどのメモリなどが考えられる。また、無声通話機能付情報通信端末の内部には記録しない方法として、インターネットを用いた通信で都度提供される方法や、ＬＡＮ上の共有データベースに記録しておく方法なども考えられる。
【００３８】
「音声通話用オフフックキー部」（０２０３）は音声モードにするための「第一ボタン」（０２０７）を有する。「音声通話用オフフックキー部」は具体的には、ユーザーが「第一ボタン」（０２０７）を押下した場合に、「第一ボタン」（０２０７）が押下された情報（ユーザーが音声モードを望んでいること）を制御部へ送信するものである。
【００３９】
ここで第一ボタンの「ボタン」とは、具体例として、メカニカルスイッチ、メンブレンスイッチ、静電容量無接点方式スイッチなどが考えられる。また、タッチパネル上やディスプレイ上の仮想ボタンであっても良い。
（本明細書の全体を通じて同様である）
【００４０】
また「情報を制御部へ送信する」方法としては、割り込み信号による送信方法や、制御部の周辺回路として割り当てられたアドレスへデータ出力することで送信する方法、送信相手（この場合は制御部）のアドレスと送信データをパケット化してシリアルＩ／Ｏに流す方法などが考えられる。（本明細書の全体を通じて同様である）
【００４１】
「文字通話用オフフックキー部」（０２０４）は文字モードにするための「第二ボタン」（０２０８）を有する。「文字通話用オフフックキー部」は具体的には、ユーザーが「第二ボタン」（０２０８）を押下した場合に、「第二ボタン」（０２０８）が押下された情報（ユーザーが文字モードを望んでいること）を制御部へ送信するものである。
【００４２】
「制御部」（０２０５）は各処理部を制御する。「制御部」は具体的には以下の制御を行う。まず、「音声通話用オフフックキー部」（０２０３）を制御し、「第一ボタン」（０２０７）押下情報を得ると、「無声通話機能付情報通信端末」（０２００）を音声モードとする。そして「音声通話処理部」（０２０１）を制御し、「音声通話処理部」から外部へ音声データを出力させる。また、「文字通話用オフフックキー部」（０２０４）を制御し、「第二ボタン」（０２０８）押下情報を得ると、「無声通話機能付情報通信端末」（０２００）を文字モードとする。そして「文字通話処理部」（０２０２）を制御し、「文字通話処理部」から外部へ文字コードに対応する音声データを出力させる。
【００４３】
ここで「制御部」とは、具体的には、ＣＰＵ、プログラムメモリ、データメモリ、（シリアル／パラレル）Ｉ／Ｏポート、などから構成され、さらにＣＰＵは、制御回路、演算回路、命令解析部、レジスタ、（アドレス／データ）バス制御部、外部割り込み入力部、タイマー、カウンターなどから構成されるものが考えられる。「制御部」が各処理部を制御する場合、「制御部」がプログラムメモリに書かれた制御内容（プログラム）を読み込み、命令解析部でプログラムを解読し、実行（Ｉ／Ｏポート出力やバス出力）することにより順次処理（制御）が行われる。（本明細書の全体を通じて同様である）
【００４４】
制御部の「制御」方法としては、各処理部に割り当てたアドレスへデータ送信する方法、送信相手（この場合は各処理部）のアドレスと送信データをパケット化してシリアルＩ／Ｏに流す方法、制御部から各処理部に制御用の専用ラインを設定（Ｉ／Ｏポート割り当てなど）して制御する方法などが考えられる。（本明細書の全体を通じて同様である）
【００４５】
また制御部が「ボタン押下情報」を得る方法としては、割り込み信号により制御部が割り込まれた時に割り込みルーチンで情報を得る方法や、各処理部に割り当てたアドレスのデータを読むことで情報を得る方法、受信相手（この場合は各処理部）から得たパケットデータを解読して情報を得る方法などが考えられる。（本明細書の全体を通じて同様である）
【００４６】
なお、無声通話機能付情報通信端末には上記以外の機能として「操作キー」が存在しても良い。ここで、「操作キー」とは、具体的には、オンフックキーやメニューボタン、パワーＯＮボタン、パワーＯＦＦボタン、などである。また、オンフックキーとは、「無声通話機能付情報通信端末」を音声モードや文字モードのオフフック状態からオンフック状態（待機状態）とするためのキーを指す。（本明細書の全体を通じて同様である）
【００４７】
また本実施形態においては、以下の操作により、無声通話機能付情報通信端末をオフフック状態とすることができるものとする。第一には、前記音声モードや文字モードのオフフック状態においてオンフックキーを押下する操作である。第二には、無声通話機能付情報通信端末がパワーＯＦＦ状態である時に、前記パワーＯＮボタンを押下する操作である。
【００４８】
〈実施形態１の処理の流れとハードウェア構成〉
【００４９】
図３、図４、図５に本実施形態における処理の流れの一例を示す。また、図６に本実施形態のハードウェア構成の一例を示す。
【００５０】
まず、実施形態１のハードウェア構成について簡単に説明する。図６に示す通り、「無声通話機能付情報通信端末」（０６００）は、「音声通話処理部」（０６０１）と、「文字通話処理部」（０６０２）と、「第一ボタン」（０６０３）と、「第二ボタン」（０６０４）と、「ＣＰＵ」（０６０５）と、「通信制御部」（０６１０）と、「通信Ｉ／Ｆ」（０６１１）と、「ディスプレイ」（０６１３）と、「操作キー」（０６１４）と、「プログラムメモリ」（０６２０）と、「データメモリ」（０６２１）と、「スピーカー」（０６２２）と、「スピーカーアンプ」（０６２３）と、からなる。「音声通話処理部」（０６０１）は、「音声通話処理回路」（０６１９）と、「マイク」（０６０６）と、からなる。「文字通話処理部」（０６０２）は、「文字入力部」（０６０７）と、「文字音声変換部」（０６０８）と、「音声文字変換部」（０６０９）と、からなる。
【００５１】
次に、実施形態１の処理の流れを、本実施形態のハードウェア構成をもとにして説明する。
【００５２】
本実施形態における処理の流れは、以下に示すステップよりなる。なお、以下に示す処理の流れは、計算機に実行させるためのプログラム、またはそのプログラムが記録された読み取り可能な記録媒体として実施されうる（以下、本明細書における処理の流れの記載についても同様である）。
【００５３】
まず、無声通話機能付情報通信端末がパワーＯＦＦ状態からパワーＯＮ状態となったとき、または、オフフック状態からオンフック状態になったとき、図３に示すメインルーチン（Ｓ０３００）から処理が始まる。
【００５４】
「制御部」は次に、「第一ボタン」が押下されたか（Ｓ０３０１）、「第二ボタン」が押下されたか（Ｓ０３０２）、を判定する。「制御部」は「第一ボタン」が押下されたと判定（Ｓ０３０１）した場合には、音声モードのルーチンを実行する（Ｓ０３０３）。「第二ボタン」が押下されたと判定（Ｓ０３０２）した場合には、文字モードのルーチンを実行する（Ｓ０３０４）。
【００５５】
図４に示す音声モード（Ｓ０４００）では、図６に示す「制御部」は「通話」（Ｓ０４０１）を継続するよう制御する。「制御部」は「通話」中にオンフックがあったと判定した場合にはステップＳ０３００へ戻り音声モードを終了させる（Ｓ０４０２）。
【００５６】
前記「通話」（Ｓ０４０１）ステップは、通常の音声通話用の処理である。すなわち「通信Ｉ／Ｆ」を介して通話相手と音声による通話を行うものであり、「音声通話処理部」と「通信制御部」との間での音声データのやりとりが行われるものである。本ステップの具体的な内容は、一般的なステップであるため詳細については省略する。
【００５７】
図５に示す文字モード（Ｓ０５００）では、例えばまず最初に図６に示す「制御部」は「通信制御部」へ「相手への文字モード通知制御コマンド出力」（Ｓ０５０１）を行ってもよい。「通信制御部」では相手への文字モード通知制御コマンドを受けたとき、「通信Ｉ／Ｆ」を介し、通話相手へこちらが文字モードで通話していることを通知する。例えば、"現在発声できない環境にいるため、文字モードで通信中です"などのメッセージを送信するなどである。
【００５８】
その後の処理としては、「受信処理」（Ｓ０５０２）のとき（例えば「制御部」が「通信制御部」から通話相手からの音声受信を受けたと判定したとき）には、「制御部」は「文字通話処理部」の「音声文字変換部」へ「音声−>文字変換制御コマンド出力」（Ｓ０５０３）し、さらに、「ディスプレイ」へ「文字表示制御コマンド出力」（Ｓ０５０４）する。「音声文字変換部」は制御部から音声−>文字変換制御コマンドを受け取ると、通信制御部にストックされた通信相手の音声受信データを音声−>文字変換する。そして「ディスプレイ」が制御部から文字表示制御コマンドを受け取ることで、「ディスプレイ」は「音声文字変換部」から音声−>文字変換した後の文字データを受け取り、文字データを「ディスプレイ」に表示させる。
【００５９】
「送信処理」（Ｓ０５０５）のとき（例えば「通信制御部」から通話相手からの音声受信を受けた旨の通知が無く、かつ、「制御部」が「文字通話処理部」の「文字入力部」から文字入力があったと通知されたとき）には、まず、「ディスプレイ」に対し「文字表示制御コマンド出力」（Ｓ０５０６）を行う。「ディスプレイ」は、制御部から文字表示制御コマンドを受け取ると文字入力の内容を表示させる。そして、「制御部」は、「文字通話処理部」の「文字音声変換部」へ「文字−>音声変換制御コマンド出力」（Ｓ０５０７）し、さらに、「通信制御部」へ「通信制御コマンド出力」（Ｓ０５０８）を行う。「文字音声変換部」は制御部から文字−>音声変換制御コマンドを受け取ると、例えば音源データを用いることで入力文字を音声に変換して音声データとする。そして「通信制御部」が制御部から通信制御コマンドを受け取ることで、「文字音声変換部」から音声データを受け取り、「通信Ｉ／Ｆ」を介して音声データを送信する。この間、「制御部」はオンフックが無いと判定しときはステップＳ０５０２へ戻ることで文字モードを続行し、オンフックがあったと判定したときはステップＳ０３００へ戻り文字モードを終了させる（Ｓ０５０９）。
【００６０】
上記「受信処理」と「送信処理」とは、並列処理され、通話相手の音声に相当する文字表示とユーザーの文字入力とが擬似的に同時進行する処理とする（少なくともユーザーにとっては同時に進行しているかのように思えるような処理とする）。そのために「受信処理」と「送信処理」とは時分割で処理される（擬似的に同時進行される）。すなわち、図５における「受信処理」と「送信処理」のタスクは短時間で割り当てられ、短時間でタスクの切り替わりが行われる。時分割処理は、従来技術で実現できるため本実施形態での詳細説明は省略する。だだし本実施形態で並列処理は図５の手段に限定されるものではなく、例えば割り込みによる方法、すなわち、「制御部」が「通信制御部」や「文字通話処理部」からの音声受信／文字入力の通知を割り込み信号により受けて「制御部」が「受信処理」／「送信処理」を行う処理とすることで並列処理を実現する方法で有っても良い。
【００６１】
さらに、「ディスプレイ」表示上の方法として、ディスプレイの上部に通話相手の音声に相当する文字表示を行い、それと同時に下部にユーザー入力の文字表示を行う処理とすることで、ユーザーが見た目で同時進行していることが判る処理としても良い。
【００６２】
〈実施形態１の効果〉
【００６３】
音声通話用オフフックキー部に含まれる第一ボタンと文字通話用オフフックキー部に含まれる第二ボタンの２つのボタンを設けることによって、ユーザーがオンフック状態から文字モードで通話したい場合でも、オフフックと文字モードの選択までが同時に行われる。そのため、ユーザーにとって文字モードでの通話までに手間がかかる煩わしさを解消できるという効果を奏する。また、文字モードでの通話までに手間がかからないので、相手への応答が遅れてしまうなどの問題を解消できるという効果を奏する。
【００６４】
〈〈実施形態２〉〉
【００６５】
〈実施形態２の概要〉
【００６６】
図１に本実施形態のキー配置の概念図を示す。本実施形態では、実施形態１に加え、オンフック状態から文字通話用オフフックキー部に含まれる第二ボタンを押下しただけで、さらにマイクをＯＦＦ状態にする機能（従来技術ではユーザーがメニュー選択やマイクＯＦＦキー押下することで実現していた機能）も同時に発動する、というものである。
【００６７】
すなわち、図１に示す第一ボタン（０１０１）を押下したときはオフフックと同時に音声モードとし、さらに同時にマイクをＯＮ状態とする。図１に示す第二ボタン（０１０２）を押下したときはオフフックと同時に文字モードとし、さらに同時にマイクをＯＦＦ状態にするものである。
【００６８】
〈実施形態２の構成〉
【００６９】
図７に本実施形態における機能ブロック図の一例を示す。図７に示す本実施形態の「無声通話機能付情報通信端末」（０７００）は、「音声通話処理部」（０７０１）と、「文字通話処理部」（０７０２）と、「音声通話用オフフックキー部」（０７０３）と、「文字通話用オフフックキー部」（０７０４）と、「制御部」（０７０５）と、を有する。「音声通話処理部」（０７０１）には「マイク」（０７０６）を含む。「音声通話用オフフックキー部」（０７０３）には「第一ボタン」（０７０７）を含む。「文字通話用オフフックキー部」（０７０４）には「第二ボタン」（０７０８）を含む。「制御部」（０７０５）には「マイクＯＦＦ手段」（０７０９）を含む。
【００７０】
本実施形態は、実施形態１で説明した無声通話機能付情報通信端末にさらに「マイクＯＦＦ手段」（０７０９）」を有することを特徴とするものである。「マイクＯＦＦ手段」（０７０９）を除く各構成については実施形態１で説明したものと同様であり、既に述べているためここでの説明は省略する。
【００７１】
制御部は、第二ボタンを利用して文字通話用オフフックキー部がオフフックされた場合には音声通話処理部のマイクをＯＦＦ状態に制御する「マイクＯＦＦ手段」（０７０９）を有する。
【００７２】
ここで「マイクをＯＦＦする」とは、実質的にマイクから集音する機能をカットする処理を指す。具体的には、マイクとマイクに接続されたアンプ（増幅器）との接続スイッチをＯＦＦする処理や、アンプ（増幅器）のゲインをマイナス無限大にする処理、音声通話処理部を機能させないようにする処理（電源供給ＯＦＦなど）などが考えられる。（本明細書の全体を通じて同様である）
【００７３】
「マイクＯＦＦ手段」（０７０９）とは、具体例として、制御部が第二ボタン押下を判定し音声通話処理部のマイクをＯＦＦ状態にするものが考えられる。また、制御部が第二ボタン押下を判定し、無声通話機能付情報通信端末を文字モードに設定した後（または設定することで）音声通話処理部のマイクをＯＦＦ状態にするものが考えられる。（本明細書の全体を通じて同様である）
【００７４】
ここで制御部は、上記「マイクＯＦＦ手段」を行ったとき、同時にスピーカーをＯＦＦする制御を行っても良い。すなわち、第二ボタンを利用して文字通話用オフフックキー部がオフフックされた場合には音声通話処理部のマイクをＯＦＦ状態とし、同時にスピーカーをＯＦＦ状態に制御しても良い。（本明細書の全体を通じて同様である）
【００７５】
〈実施形態２の処理の流れとハードウェア構成〉
【００７６】
図８、図９に本実施形態における処理の流れの一例を示す。ステップＳ０８００およびステップＳ０９００までの処理の流れについては実施形態１の図３で説明したものと同様であり、既に述べているためここでの説明は省略する。また、音声モード（Ｓ０８００）における「マイクＯＮ制御コマンド出力」（Ｓ０８０３）以外の処理、文字モード（Ｓ０９００）における「マイクＯＦＦ制御コマンド出力」（Ｓ０９１０）以外の処理も実施形態１の図４、図５で説明したものと同様であり、既に述べているためここでの説明は省略する。
【００７７】
またハードウェア構成は実施形態１の図６と同様であり、既に述べているためここでの説明は省略する。
【００７８】
「マイクＯＮ制御コマンド出力」（Ｓ０８０３）の処理は具体的には以下の通りである。無声通話機能付情報通信端末が音声モードに切り替わったとき、「制御部」は、「音声通話処理部」へ「マイクＯＮ制御コマンド出力」（Ｓ０８０３）し、「音声通話処理部」の「マイク」をＯＮ状態とする。また無声通話機能付情報通信端末が文字モードに切り替わったとき、「制御部」は、「音声通話処理部」に対して「マイクＯＦＦ制御コマンド出力」（Ｓ０９１０）することで「音声通話処理部」の「マイク」をＯＦＦ状態とする。
【００７９】
ここで、「制御部」が「マイクＯＮ制御コマンド出力」したとき、同時に図６の「スピーカーアンプ」（０６２３）を制御して「スピーカー」（０６２２）の出力をＯＮする制御を行っても良い。さらに、「制御部」が「マイクＯＦＦ制御コマンド出力」したとき、同時に「スピーカーアンプ」を制御して「スピーカー」の出力をＯＦＦする制御を行っても良い。すなわち、第一ボタンが押下された場合はスピーカーがＯＮになり、第二ボタンが押下された場合はスピーカーがＯＦＦになっても良い。（本明細書の全体を通じて同様である）
【００８０】
〈実施形態２の効果〉
【００８１】
オンフック状態から第二ボタンを押下しただけで、実施形態１の機能に加え、さらにマイクＯＦＦが同時に行われる。そのため、ユーザーにとって文字モードでの通話までに手間がかかる煩わしさを解消できるという効果を奏する。また、文字モードでの通話までに手間がかからないので、相手への応答が遅れてしまうなどの問題を解消できるという効果を奏する。
【００８２】
また、文字通話用オフフックキー部でオフフックすることによって自動的に文字モードの選択とマイクのＯＦＦをするので、文字モードのときは省電力になると共に通信相手に余計な音声ノイズを送信しないといった効果も奏する。
【００８３】
〈〈実施形態３〉〉
【００８４】
〈実施形態３の概要〉
【００８５】
図１０、図１１に本実施形態のキー配置の概念図の一例を示す。本実施形態の概要は、実施形態１または２において、音声通話用オフフックキー部に含まれる第一ボタンと文字通話用オフフックキー部に含まれる第二ボタンとを互いに離れた場所にキー配置することにより、誤操作防止に役立てることを特徴とするものである。具体的には、第一ボタンと第二ボタンとの間に他のボタンの少なくとも一部を配置することにより、第一ボタンと第二ボタンが相隣接しないように配置したものである。  ここで図１０、図１１は本実施形態の一例に過ぎず、第一ボタンと第二ボタンとが他のボタン等によって相隣接しない配置となっておればいかなるパターンもあり得、本実施形態のキー配置は図１０や図１１に限定しないものである。
【００８６】
図１０は、文字通話用オフフックキー部（１００２）を、音声通話用オフフックキー部（１００１）に対してファンクションキー（１００３）を隔てた対角線上に配置した一例である。
【００８７】
図１１は、文字通話用オフフックキー部（１１０２）と音声通話用オフフックキー部（１１０１）との間に他のキーα（１１０３）を設定した一例である。
【００８８】
〈実施形態３の構成〉
【００８９】
本実施形態における機能ブロック図は、実施形態１の構成であってもよいし、実施形態２の構成であってもよい。これらは既に述べた通りであるため、ここでの説明は省略する。
【００９０】
〈実施形態３の処理の流れとハードウェア構成〉
【００９１】
本実施形態の処理の流れは、実施形態１の処理の流れであってもよいし、実施形態２の処理の流れであってもよい。これらは既に述べた通りであるため、ここでの説明は省略する。
【００９２】
ハードウェア構成は実施形態１の図６と同様であり、これらは既に述べた通りであるため、ここでの説明は省略する。
【００９３】
〈実施形態３の効果〉
【００９４】
ユーザーの誤操作を防止し、本来の文字モードでの通話の目的を達せられるようにする効果を奏する。すなわち、電車内や職場、図書室などの公共の場や通話に相応しくない場所において、文字モードで通話したいのにボタンの押し間違いにより音声モードに入ってしまうと、かえって他人に迷惑をかけるなどの状況を生じさせてしまう。そのような事を防止する効果を奏する。
【００９５】
〈〈実施形態４〉〉
【００９６】
〈実施形態４の概要〉
【００９７】
本実施形態の概要は、オンフック状態でかつ無着信状態における文字通話用オフフックキー部に含まれる第二ボタン押下のワンアクションだけで、無声通話機能付情報通信端末を文字モードによる発呼状態とする機能を有することを特徴とするものである。具体的には、オンフック状態でかつ無着信状態において第二ボタンを押下すると、オフフック処理と文字モードによる発呼の選択処理が同時に行われて、無声通話機能付情報通信端末を文字モードによる発呼状態とするものである。
【００９８】
〈実施形態４の構成〉
【００９９】
図１２に本実施形態における機能ブロック図の一例を示す。図１２に示す本実施形態の「無声通話機能付情報通信端末」（１２００）は、「音声通話処理部」（１２０１）と、「文字通話処理部」（１２０２）と、「音声通話用オフフックキー部」（１２０３）と、「文字通話用オフフックキー部」（１２０４）と、「制御部」（１２０５）と、を有する。「音声通話処理部」（１２０１）には「マイク」（１２０６）を含む。「音声通話用オフフックキー部」（１２０３）には「第一ボタン」（１２０７）を含む。「文字通話用オフフックキー部」（１２０４）には「第二ボタン」（１２０８）を含む。「制御部」（１２０５）には、「無声発呼処理手段」（１２１０）と、「マイクＯＦＦ手段」（１２０９）とを有する。
【０１００】
本実施形態は、無声通話機能付情報通信端末に「無声発呼処理手段」（１２１０）を有することを特徴とするものである。図１２は実施形態２をベースに「無声発呼処理手段」（１２１０）を付加した構成としているが、本実施形態は、これに限定されるものでは無く実施形態１から３のいずれか１つをベースとするものである。よって、「無声発呼処理手段」（１２１０）を除く各構成については実施形態１から３のどれか１つであってよい。これらは既に述べた通りであるため、ここでの説明は省略する。
【０１０１】
制御部は、第二ボタンを利用したオフフックがあった場合にこれをトリガーとして発呼をするための処理を文字通話処理部に実行させる「無声発呼処理手段」（１２１０）を有する。「無声発呼処理手段」（１２１０）とは具体的には、制御部が、着信が無く、かつ、第二ボタン押下があったと判定した時（すなわち第二ボタン押下による発呼時に）、制御部により、発呼のために無声通話機能付情報通信端末を文字モードとして、文字通話処理部を起動させるものである（文字モードには発呼処理を含む）。
【０１０２】
また制御部が第二ボタン押下情報を得る方法は、前記実施形態１における「ボタン押下情報」を得る方法と同様であり、既に述べているためここでの説明は省略する。
【０１０３】
〈実施形態４の処理の流れとハードウェア構成〉
【０１０４】
図１３に本実施形態における処理の流れの一例を示す。メインルーチン（Ｓ１３００）以外の処理（音声モードと文字モードの処理）は、実施形態１から３のどれか１つであってよい。これらは既に述べた通りであるため、ここでの説明は省略する。
【０１０５】
ハードウェア構成は実施形態１の図６と同様であり、これらは既に述べた通りであるため、ここでの説明は省略する。
【０１０６】
メインルーチン（Ｓ１３００）の処理は具体的には以下の通りである。まず、オンフック状態では図１３に示すメインルーチン（Ｓ１３００）から処理が始まる。「制御部」は「着信判定」（Ｓ１３０５）により、着信状態で無いと判定した場合に、さらに「制御部」は、「第一ボタン」が押下されたか（Ｓ１３０１）、「第二ボタン」が押下されたか（Ｓ１３０２）、を判定する。「制御部」が、「第一ボタン」が押下された（Ｓ１３０１）と判定した場合には、音声モードのルーチンを実行する（Ｓ１３０３）。「制御部」が、「第二ボタン」が押下された（Ｓ１３０２）と判定した場合には、文字モードのルーチンを実行する（Ｓ１３０４）。
【０１０７】
〈実施形態４の効果〉
【０１０８】
無声通話機能付情報通信端末がオンフック状態でかつ無着信状態において、第二ボタン押下のワンアクションだけで、オフフック処理と、文字モードによる発呼の選択処理が同時に行われる。そのため、発呼時において文字モードでの通話までに手間がかかるというユーザーにとっての煩わしさを解消できるという効果を奏する。
【０１０９】
〈〈実施形態５〉〉
【０１１０】
〈実施形態５の概要〉
【０１１１】
本実施形態の概要は、オンフック状態でかつ着信状態において文字通話用オフフックキー部に含まれる第二ボタン押下のワンアクションだけで、無声通話機能付情報通信端末を文字モードによる着信応答状態とする機能を有することを特徴とするものである。具体的には、オンフック状態でかつ着信状態のとき第二ボタンを押下すると、オフフック処理と、文字モードによる着信応答時の選択処理が同時に行われて、無声通話機能付情報通信端末を文字モードによる着信応答状態とするものである。
【０１１２】
〈実施形態５の構成〉
【０１１３】
図１４に本実施形態における機能ブロック図の一例を示す。図１４に示す本実施形態の「無声通話機能付情報通信端末」（１４００）は、「音声通話処理部」（１４０１）と、「文字通話処理部」（１４０２）と、「音声通話用オフフックキー部」（１４０３）と、「文字通話用オフフックキー部」（１４０４）と、「制御部」（１４０５）と、を有する。「音声通話処理部」（１４０１）には「マイク」（１４０６）を含む。「音声通話用オフフックキー部」（１４０３）には「第一ボタン」（１４０７）を含む。「文字通話用オフフックキー部」（１４０４）には「第二ボタン」（１４０８）を含む。「制御部」（１４０５）には、「マイクＯＦＦ手段」（１４０９）と、「無声発呼処理手段」（１４１０）と、「無声応答処理手段」（１４１１）と、を含む。
【０１１４】
本実施形態は、無声通話機能付情報通信端末に「無声応答処理手段」（１４１１）を有することを特徴とするものである。図１４は実施形態４をベースに「無声応答処理手段」（１４１１）を付加した構成としているが、本実施形態は、これに限定されるものでは無く実施形態１から４のいずれか１つをベースとするものである。よって、「無声応答処理手段」（１４１１）「無声応答処理手段」（１４１１）を除く各構成については実施形態１から４のどれか１つであってよい。これらは既に述べた通りであるため、ここでの説明は省略する。
【０１１５】
制御部は、第二ボタンを利用したオフフックが着信時にあった場合には、これをトリガーとして応答をするための処理を文字通話処理部に実行させる「無声応答処理手段」（１４１１）を有する。「無声応答処理手段」（１４１１）とは具体的には、制御部が、着信が有り、かつ、第二ボタン押下があったと判定した時（すなわち第二ボタン押下による応答時に）、着信応答のために無声通話機能付情報通信端末を文字モードとして文字通話処理部を起動するものである。
【０１１６】
また制御部が第二ボタン押下の情報を得る方法は、前記実施形態１における「ボタン押下情報」を得る方法と同様であり、既に述べているためここでの説明は省略する。
【０１１７】
〈実施形態５の処理の流れとハードウェア構成〉
【０１１８】
図１５に本実施形態における処理の流れの一例を示す。メインルーチン（Ｓ１５００）以外の処理（音声モードと文字モードの処理）は実施形態１から４のどれか１つであってよい。これらは既に述べた通りであるため、ここでの説明は省略する。また、ステップＳ１５０５で着信判定されなかった時の処理は実施形態４の図１３で説明したものと同様であり、これらは既に述べた通りであるため、ここでの説明は省略する。
【０１１９】
ハードウェア構成は実施形態１の図６と同様であり、これらは既に述べた通りであるため、ここでの説明は省略する。
【０１２０】
メインルーチン（Ｓ１５００）の処理は具体的には以下の通りである。まずオンフック状態では図１５に示すメインルーチン（Ｓ１５００）から処理が始まる。「制御部」が「着信判定」（Ｓ１５０５）により、着信状態と判定した場合、さらに「制御部」は、第一ボタンが押下されたか（Ｓ１５０６）、第二ボタンが押下されたか（Ｓ１５０７）、を判定する。「制御部」は、第一ボタンが押下された（Ｓ１５０６）と判定した場合には、音声モードのルーチンを実行し（Ｓ１５０８）、第二ボタンが押下された（Ｓ１５０７）と判定した場合には、文字モードのルーチンを実行する（Ｓ１５０９）。
【０１２１】
また、音声モードにするための第一ボタンを有する音声通話用オフフックキー部と、文字モードにするための第二ボタンを有する文字通話用オフフックキー部を有する無声通話機能付情報通信端末の制御方法として、制御部に以下の処理ステップを有する。まず、非通話状態で音声通話用オフフックキー部でのオフフック又は、文字通話用オフフックキー部でのオフフックを検知する第一オフフック検知ステップを有する。ここで「第一オフフック検知ステップ」とは、図１５におけるステップＳ１５０１、ステップＳ１５０２、ステップＳ１５０６、ステップＳ１５０７の各ステップを総合したステップである。さらに第一オフフック検知ステップにて検知されたオフフックに応じて非通話状態から音声通話による発着呼可能状態である音声モード又は、文字通話による発着呼可能状態である文字モードに切換える第一切換ステップを有する。ここで「第一切換ステップ」とは、図１５におけるステップＳ１５０３、ステップＳ１５０４、ステップＳ１５０８、ステップＳ１５０９の各ステップ部分を総合したステップである。
【０１２２】
〈実施形態５の効果〉
【０１２３】
無声通話機能付情報通信端末がオンフック状態でかつ着信状態において、第二ボタン押下のワンアクションだけで、オフフック処理と、文字モードによる着信応答の選択処理が同時に行われる。そのため、着信時において文字モードで応答した場合の通話までに手間がかかるというユーザーにとっての煩わしさを解消できるという効果を奏する。また、着信時において文字モードでの通話までに手間がかからないので、相手への応答が遅れてしまうなどの問題を解消できるという効果を奏する。
【０１２４】
〈〈実施形態６〉〉
【０１２５】
〈実施形態６の概要〉
【０１２６】
本実施形態の概要は、実施形態１から５のいずれかの無声通話機能付情報通信端末において、マナーモードが機能している時には文字通話用オフフックのみを選択可能とする機能を有することを特徴とする。具体的には、無声通話機能付情報通信端末においてマナーモードが機能しているときには、音声通話用オフフックキー部を機能させない（すなわち音声通話処理部を機能させない）ようにすることで、文字通話用オフフックのみを選択可能とするものである。本実施形態の以下の説明では、無声通話機能付情報通信端末がオンフック状態のときに音声通話用オフフックキー部を機能させない（すなわち音声通話処理部を機能させない）例を示している。しかし本実施形態の態様としては、無声通話機能付情報通信端末がオンフック状態のときのみに限定されるものではなく、オフフック状態でも音声通話用オフフックキー部を機能させない（すなわち音声通話処理部を機能させない）態様をも含むものとする。
【０１２７】
〈実施形態６の構成〉
【０１２８】
図１６に本実施形態における機能ブロック図の一例を示す。図１６に示す本実施形態の「無声通話機能付情報通信端末」（１６００）は、「音声通話処理部」（１６０１）と、「文字通話処理部」（１６０２）と、「音声通話用オフフックキー部」（１６０３）と、「文字通話用オフフックキー部」（１６０４）と、「制御部」（１６０５）と、「マナーモード部」（１６１２）と、を有する。「音声通話処理部」（１６０１）には「マイク」（１６０６）を含む。「音声通話用オフフックキー部」（１６０３）には「第一ボタン」（１６０７）を含む。「文字通話用オフフックキー部」（１６０４）には「第二ボタン」（１６０８）を含む。「制御部」（１６０５）には、「マイクＯＦＦ手段」（１６０９）と、「無声発呼処理手段」（１６１０）と、「無声応答処理手段」（１６１１）と、「マナーモード対応制御手段」（１６１３）と、を含む。
【０１２９】
本実施形態は、無声通話機能付情報通信端末に「マナーモード部」（１６１２）と「マナーモード対応制御手段」（１６１３）を有することを特徴とするものである。図１６は実施形態５をベースに「マナーモード部」（１６１２）と「マナーモード対応制御手段」（１６１３）とを付加した構成としているが、本実施形態は、これに限定されるものでは無く実施形態１から５のいずれか１つをベースとするものである。よって、「マナーモード部」（１６１２）と「マナーモード対応制御手段」（１６１３）を除く各構成については実施形態１から５のどれか１つであってよい。これらは既に述べた通りであるため、ここでの説明は省略する。
【０１３０】
「マナーモード部」（１６１２）は着信をマナーモードとする。マナーモードを動作中とさせるか否かはユーザーが選択できる構成とする。例えば「マナーモード部」にマナーモード用ボタンを備え、ユーザーがマナーモード用ボタンをＯＮ／ＯＦＦすることでマナーモードを動作中とさせるか否かを決定できるような構成としても良い。
【０１３１】
ここで「マナーモード」とは、（例えば携帯電話を使用する際、大きな音で着信音を鳴らすと周囲に迷惑がかかることが想定されるような場所で使用する場合などにおいて、）通話着信やメール着信を知らせる合図に、音以外の方法（例えばバイブレーターなど）や影響の少ない方法（例えばごく小さな着信音など）を用いるモードであると定義する。マナーモードを機能させる具体的な方法については、既存技術と同様であるためここでの説明は省略する。
【０１３２】
「マナーモード部」は前記機能に加え、マナーモードが動作中か否かの情報を「制御部」（１６０５）の「マナーモード対応制御手段」（１６１３）に送信する機能を備える。
【０１３３】
ここで、「情報を制御部のマナーモード対応制御手段に送信する」方法は、前記実施形態１の「情報を制御部へ送信」する方法と同様な手段で実現でき、既に述べているためここでの説明は省略する。
【０１３４】
「制御部」（１６０５）は、マナーモード部が動作中は、音声通話処理部を機能させない「マナーモード対応制御手段」（１６１３）を有する。「マナーモード対応制御手段」（１６１３）とは具体的には、制御部が「マナーモード部」（１６１２）から得たマナーモードが動作中か否かの情報によりマナーモードが動作中と判定した時には、制御部が直接的または間接的に音声通話処理部を機能させないようにする手段である。
【０１３５】
ここで、マナーモードが動作中で無い状態で文字モードに入ったとき、文字モード移行と同時にマナーモードを動作させる処理も有っても良い。
【０１３６】
直接的に音声通話処理部を機能させないようにする手段には、例えば、制御部が音声通話処理部を制御して、音声通話処理部の機能を停止させる手段（電源供給ＯＦＦや制御信号カットなど）が考えられる。また、間接的に音声通話処理部を機能さないようにする手段には、１つには制御部が音声通話用オフフックキー部を制御して第一ボタンの機能を停止させることで、第一ボタン押下による音声通話処理部起動（すなわち音声モード実行）を回避する手段（電源供給ＯＦＦや制御信号カット、ボタンの機械的固定化など）が考えられる。また、制御部がマナーモードＯＮと判定した時には、音声通話用オフフックキー部に含まれる第一ボタン押下の判定を行わない処理とすることで、音声通話用オフフックキー部に含まれる第一ボタン押下による音声通話処理部起動（すなわち音声モード実行）を回避する手段も考えられる。さらには、有効なキーを通常バックライトなどのイルミネーションで示している場合に、バックライトを単にＯＦＦすることでユーザーのボタン押下を抑制する手段も考えられる。
【０１３７】
ここで、制御部がマナーモードの状態が切り替わったという情報を得る方法は、前記実施形態１における「ボタン押下情報」を得る方法と同様な手段で実現でき、既に述べているためここでの説明は省略する。「マナーモードが動作中か否かの情報」を得る方法としては、例えば以下の方法が考えられる。まず、制御部において、マナーモード状態を保持するためのフラグを設定する。そして、制御部がマナーモードの状態が切り替わったという情報を得る都度、同フラグを１／０に切替える。制御部は、左記フラグを参照することによってマナーモードが動作中か否かを知る（情報を得る）ことができる。
【０１３８】
〈実施形態６の処理の流れとハードウェア構成〉
【０１３９】
図１７に本実施形態における処理の流れの一例を示す。メインルーチン（Ｓ１７００）以外の処理（音声モードと文字モードの処理）は実施形態１から５のどれか１つであってよい。これらは既に述べた通りであるため、ここでの説明は省略する。図１７は実施形態５をベースに「マナーモード判定」（Ｓ１７０５）、（Ｓ１７１０）を付加した構成としているが、本実施形態は、これに限定されるものでは無く実施形態１から５のいずれか１つをベースとするものである。よって、「マナーモード判定」（Ｓ１７０５）、（Ｓ１７１０）を除く各構成については実施形態１から５のどれか１つであってよい。
【０１４０】
図１７では、本実施形態の構成における「マナーモード対応制御手段」で示した手段の内、「間接的に音声通話処理部を機能させないようにする手段」の内の１つを取り上げている。すなわち、制御部がマナーモードＯＮと判定した時には、第一ボタン押下の判定を行わない処理とすることで、第一ボタン押下による音声通話処理部起動（すなわち音声モード実行）を回避する手段を取り上げている。だだし本実施形態は、図１７の手段に限定されるものではなく、前記「直接的に音声通話処理部を機能させないようにする手段」であっても良いし、前記「間接的に音声通話処理部を機能させないようにする手段」の内の「制御部が音声通話用オフフックキー部を制御して第一ボタンの機能を停止させる手段」であっても良い。
【０１４１】
図１８に本実施形態におけるハードウェア構成を示す。図６に対し、マナーモード部（１８１５）を追加した構成となっている。
【０１４２】
メインルーチン（Ｓ１７００）の処理は具体的には以下の通りである。まずオンフック状態では図１７に示すメインルーチン（Ｓ１７００）から処理が始まる。「制御部」は「着信判定」（Ｓ１７０５）により無着信状態と判定した場合、以下の処理を行う。「制御部」は、「マナーモード判定」（Ｓ１７１０）によりマナーモード動作中で無いと判定した時、さらに第一ボタンが押下されたか（Ｓ１７０１）、第二ボタンが押下されたか（Ｓ１７０２）、を判定する。「制御部」は、第一ボタンが押下された（Ｓ１７０１）と判定した場合には、音声モードのルーチンを実行し（Ｓ１７０３）、第二ボタンが押下された（Ｓ１７０２）と判定した場合には、文字モードのルーチンを実行する（Ｓ１７０４）。「制御部」は、「マナーモード判定」（Ｓ１７１０）によりマナーモード動作中と判定された時は、文字通話用オフフックキー部が押下されたか（Ｓ１７０２）否かを判定する。「制御部」は、文字通話用オフフックキー部が押下された（Ｓ１７０２）と判定した場合には、文字モードのルーチンを実行する（Ｓ１７０４）。
【０１４３】
「制御部」は、「着信判定」（Ｓ１７０５）により着信状態と判定した場合、以下の処理を行う。「制御部」は、「マナーモード判定」（Ｓ１７１１）によりマナーモードで無いと判定した時、さらに第一ボタンが押下されたか（Ｓ１７０６）、第二ボタンが押下されたか（Ｓ１７０７）、を判定する。「制御部」は、第一ボタンが押下された（Ｓ１７０６）と判定した場合には、音声モードのルーチンを実行し（Ｓ１７０８）、第二ボタンが押下された（Ｓ１７０７）と判定した場合には、文字モードのルーチンを実行する（Ｓ１７０９）。「制御部」は、「マナーモード判定」（Ｓ１７１１）によりマナーモードと判定した時は、第二ボタンが押下されたか（Ｓ１７０７）否かを判定する。「制御部」は、第二ボタンが押下された（Ｓ１７０７）と判定した場合には、文字モードのルーチンを実行する（Ｓ１７０９）。
【０１４４】
〈実施形態６の効果〉
【０１４５】
本実施形態では、無声通話機能付情報通信端末においてマナーモードが機能しているときには、音声通話用オフフックキー部を機能させない（すなわち音声通話処理部を機能させない）ようにすることで、文字通話用オフフックのみを選択可能としている。よって、電車内や職場、図書室などの公共の場や通話に相応しくない場所において予めマナーモードにしておけば、文字モードで通話したいのにボタンの押し間違いにより音声モードに入ってしまうなどの誤操作を回避できる効果を奏する。
【０１４６】
〈〈実施形態７〉〉
【０１４７】
〈実施形態７の概要〉
【０１４８】
本実施形態の概要は、前記実施形態に加え、音声モードで通話中にも文字モードに切替えることができることを特徴とする。すなわち、音声モードで通話中にユーザーが文字通話用オフフックキー部に含まれる第二ボタンを押下すると、音声モードから文字モードによる通話に自動的に切り替えられ、文字モードによる通話が可能となる機能を有することを特徴とする。また、前記音声モードから文字モードへの切替時、同時に音声通話処理部のマイクを自動的にＯＦＦ状態とする機能を有することを特徴とする。
【０１４９】
〈実施形態７の構成〉
【０１５０】
図１９に本実施形態における機能ブロック図の一例を示す。図１９に示す本実施形態の「無声通話機能付情報通信端末」（１９００）は、「音声通話処理部」（１９０１）と、「文字通話処理部」（１９０２）と、「音声通話用オフフックキー部」（１９０３）と、「文字通話用オフフックキー部」（１９０４）と、「制御部」（１９０５）と、「マナーモード部」（１９１２）と、を有する。「音声通話処理部」（１９０１）には「マイク」（１９０６）を含む。「音声通話用オフフックキー部」（１９０３）には「第一ボタン」（１９０７）を含む。「文字通話用オフフックキー部」（１９０４）には「第二ボタン」（０２０８）を含む。「制御部」（１９０５）には、「マイクＯＦＦ手段」（１９０９）と、「無声発呼処理手段」（１９１０）と、「無声応答処理手段」（１９１１）と、「マナーモード対応制御手段」（１９１３）と、「第二マイクＯＦＦ手段」（１９１４）と、を含む。
【０１５１】
本実施形態は、無声通話機能付情報通信端末に「第二マイクＯＦＦ手段」（１９１４）を有することを特徴とするものである。図１９は実施形態６をベースに「第二マイクＯＦＦ手段」（１９１４）を付加した構成としているが、本実施形態は、これに限定されるものでは無く実施形態１から６のいずれか１つをベースとするものである。「第二マイクＯＦＦ手段」（１９１４）を除く各構成については実施形態１から６のどれか１つであってよい。これらは既に述べた通りであるため、ここでの説明は省略する。
【０１５２】
ここで制御部は、上記「第二マイクＯＦＦ手段」を行ったとき、同時にスピーカーをＯＦＦする制御を行っても良い。すなわち、音声モードが実行されている最中に、第二ボタンが押下された場合には文字モードを機能させるとともに音声通話処理部のマイクをＯＦＦ状態とし、同時にスピーカーをＯＦＦ状態に制御しても良い。（本明細書の全体を通じて同様である）
【０１５３】
制御部は、音声モードが実行されている最中に、第二ボタンが押下された場合には文字モードを機能させるとともに音声通話処理部のマイクをＯＦＦ状態に制御する「第二マイクＯＦＦ手段」（１９１４）を有する。「第二マイクＯＦＦ手段」（１９１４）とは具体的には、音声モードが実行されているときに制御部が第二ボタン押下を判定した場合、無声通話機能付情報通信端末を文字モードとし、かつ、音声通話処理部のマイクをＯＦＦ状態にするものである。
【０１５４】
「第二マイクＯＦＦ手段」とは、前記「マイクＯＦＦ手段」と同様であるため、ここでの説明は省略する。
【０１５５】
〈実施形態７の処理の流れとハードウェア構成〉
【０１５６】
図２０に本実施形態における処理の流れの一例を示す。メインルーチンと文字モードは、実施形態１から６のいずれか１つであってよい。これらは既に述べた通りであるため、ここでの説明は省略する。図２０は実施形態６をベースに「第二ボタン押下判定」（Ｓ２００４）と「文字モード実行」（Ｓ２００５）を付加した構成としているが、本実施形態は、これに限定されるものでは無く実施形態１から６のいずれか１つをベースとするものである。よって、「第二ボタン押下判定」（Ｓ２００４）と「文字モード実行」（Ｓ２００５）以外の処理は実施形態１から６のいずれか１つであってよい。これらは既に述べた通りであるため、ここでの説明は省略する。
【０１５７】
ハードウェア構成は実施形態１から６のいずれか１つであってよい。これらは既に述べた通りであるため、ここでの説明は省略する。
【０１５８】
具体的には、図２０に示すように音声モード中に、「制御部」は、「第二ボタン押下判定」（Ｓ２００４）により第二ボタン押下を判定した時には、「文字モード実行」（Ｓ２００５）により文字モードに切り替え、文字モードでのマイクＯＦＦ制御コマンド出力によりマイクをＯＦＦ状態にする処理を行うものである。
【０１５９】
また、音声モードにするための第一ボタンを有する音声通話用オフフックキー部と、文字モードにするための第二ボタンを有する文字通話用オフフックキー部を有する無声通話機能付情報通信端末の制御方法として、制御部に以下の処理ステップを有する。まず、音声通話状態で文字通話用オフフックキー部でのオフフックを検知する第二オフフック検知ステップを有する。ここで「第二オフフック検知ステップ」とは図２０におけるステップＳ２００４に相当するステップである。さらに第二検知ステップにて検知されたオフフックに応じて音声通話状態から文字モードでの通話状態に切換える第二切換ステップを有する。ここで「第二切換ステップ」とは、図２０におけるステップＳ２００５に相当するステップである。
【０１６０】
〈実施形態７の効果〉
【０１６１】
本実施形態は、音声モードで通話中にユーザーが第二ボタンを押下すると、音声モードから文字モードによる通話に自動的に切り替えられて文字モードによる通話が可能となり、その時同時に音声通話処理部のマイクを自動的にＯＦＦ状態とするものである。そのため音声モードで通話中に、通話環境の変化などでユーザーが文字モードへ切替たい場合でも一旦電話を切らずに行え、かつ、マイクＯＦＦの操作も必要としないので、切替に手間がかかるというユーザーにとっての煩わしさを解消でき、かつ、相手への応答が遅れてしまうなどの問題を解消できるという効果を奏する。
【０１６２】
〈〈実施形態８〉〉
【０１６３】
〈実施形態８の概要〉
【０１６４】
本実施形態の概要は、実施形態７とは逆に、文字モードで通話中にも音声モードに切替えることができることを特徴とする。すなわち、文字モードで通話中にユーザーが音声通話用オフフックキー部に含まれる第一ボタンを押下すると、文字モードから音声モードによる通話に自動的に切り替えられ、音声モードによる通話が可能となる機能を有することを特徴とする。また、前記文字モードから音声モードへの切替時、同時に音声通話処理部のマイクを自動的にＯＮ状態とする機能を有することを特徴とする。
【０１６５】
〈実施形態８の構成〉
【０１６６】
図２１に本実施形態における機能ブロック図の一例を示す。図２１に示す本実施形態の「無声通話機能付情報通信端末」（２１００）は、「音声通話処理部」（２１０１）と、「文字通話処理部」（２１０２）と、「音声通話用オフフックキー部」（２１０３）と、「文字通話用オフフックキー部」（２１０４）と、「制御部」（２１０５）と、「マナーモード部」（２１１２）と、を有する。「音声通話処理部」（２１０１）には「マイク」（２１０６）を含む。「音声通話用オフフックキー部」（２１０３）には「第一ボタン」（２１０７）を含む。「文字通話用オフフックキー部」（２１０４）には「第二ボタン」（２１０８）を含む。「制御部」（２１０５）には、「マイクＯＦＦ手段」（２１０９）と、「無声発呼処理手段」（２１１０）と、「無声応答処理手段」（２１１１）と、「マナーモード対応制御手段」（２１１３）と、「第二マイクＯＦＦ手段」（２１１４）と、「マイクＯＮ手段」（２１１５）と、を含む。
【０１６７】
本実施形態は、無声通話機能付情報通信端末に「マイクＯＮ手段」（２１１５）を有することを特徴とするものである。図２１は実施形態７をベースに「マイクＯＮ手段」（２１１５）を付加した構成としているが、本実施形態は、これに限定されるものでは無く実施形態１から７のいずれか１つをベースとするものである。「マイクＯＮ手段」（２１１５）を除く各構成については実施形態１から７のどれか１つであってよい。これらは既に述べた通りであるため、ここでの説明は省略する。
【０１６８】
制御部は、文字モードが実行されている最中に、第一ボタンが押下された場合には音声モードを機能させるとともに音声通話処理部のマイクをＯＮ状態に制御する「マイクＯＮ手段」（２１１５）を有する。「マイクＯＮ手段」（２１１５）とは具体的には、文字モードが実行されているときに制御部が第一ボタン押下を判定した場合、無声通話機能付情報通信端末を音声モードとし、かつ、音声通話処理部のマイクをＯＮするものである。
【０１６９】
ここで制御部は、上記「マイクＯＮ手段」を行ったとき、同時にスピーカーをＯＮする制御を行っても良い。すなわち、文字モードが実行されている最中に、第一ボタンが押下された場合には音声モードを機能させるとともに音声通話処理部のマイクをＯＮ状態とし、同時にスピーカーをＯＮ状態に制御しても良い。（本明細書の全体を通じて同様である）
【０１７０】
〈実施形態８の処理の流れとハードウェア構成〉
【０１７１】
図２２に本実施形態における処理の流れの一例を示す。メインルーチンと音声モードは、実施形態１から７のいずれか１つであってよい。これらは既に述べた通りであるため、ここでの説明は省略する。図２２は実施形態７をベースに「第一ボタン押下判定」（Ｓ２２１１）と「音声モード実行」（Ｓ２２１２））を付加した構成としているが、本実施形態は、これに限定されるものでは無く実施形態１から７のいずれか１つをベースとするものである。よって、「第一ボタン押下判定」（Ｓ２２１１）と「音声モード実行」（Ｓ２２１２）以外の処理は、実施形態１から７のいずれか１つであってよい。これらは既に述べた通りであるため、ここでの説明は省略する。
【０１７２】
ハードウェア構成は実施形態１から７のいずれか１つであってよい。これらは既に述べた通りであるため、ここでの説明は省略する。
【０１７３】
「第一ボタン押下判定」（Ｓ２２１１）の処理は具体的には以下の通りである。図２２に示すように音声モード中に、「制御部」は、「第一ボタン押下判定」（Ｓ２２１１）により第一ボタン押下を判定した時には、「音声モード実行」（Ｓ２２１２）により音声モードに切り替え、音声モードでのマイクＯＮ制御コマンド出力によりマイクをＯＮする処理を行うものである。
【０１７４】
また、音声モードにするための第一ボタンを有する音声通話用オフフックキー部と、文字モードにするための第二ボタンを有する文字通話用オフフックキー部を有する無声通話機能付情報通信端末の制御方法として、制御部に以下の処理ステップを有する。まず、文字通話状態で音声通話用オフフックキー部でのオフフックを検知する第三オフフック検知ステップを有する。「第三オフフック検知ステップ」とは図２２におけるステップＳ２２１１に相当するステップである。さらに第三検知ステップにて検知されたオフフックに応じて文字通話状態から音声モードでの通話状態に切換える第三切換ステップを有する。ここで「第三切換ステップ」とは、図２２におけるステップＳ２２１２に相当するステップである。
【０１７５】
〈実施形態８の効果〉
【０１７６】
本実施形態は、文字モードで通話中にユーザーが第一ボタンを押下すると、文字モードから音声モードによる通話に自動的に切り替えられて音声モードによる通話が可能となり、その時同時に音声通話処理部のマイクが自動的にＯＮ状態とするものである。そのため文字モードで通話中に、通話環境の変化などでユーザーが音声モードへ切替たい場合でも一旦電話を切らずに行え、かつ、マイクＯＮの操作も必要としないので、切替に手間がかかるというユーザーにとっての煩わしさを解消でき、かつ、相手への応答が遅れてしまうなどの問題を解消できるという効果を奏する。
【０１７７】
本実施形態により文字モードで通話中に、音声モードに切り替える場合でも、ユーザーが手動でマイクのＯＮを行う手間を省き、煩わしさや、応答が遅れるなどの課題を解決できる効果を奏する。
【０１７８】
〈〈実施形態９〉〉
【０１７９】
〈実施形態９の概要〉
【０１８０】
本実施形態の概要は、前述までの実施形態と異なり、オフフックキー１つでも同様な機能を実現可能としたことを特徴とする。すなわち、オフフックキーを１つ設け、オフフックキーの長押し短押しにて音声モードと文字モードとを識別して選択されることを特徴とするものである。本実施形態では短押しで音声モード、長押しで文字モードの識別を行う例を取り上げている。しかし、その識別は逆、すなわち、短押しで文字モード、長押しで音声モードの識別とデフォルトで決めても良い。さらには、ユーザーの選択により長押し短押しをどちらのモードに当てはめるか選択するようにしても良い。よって、オフフックキーの長押し短押しと、音声モードと文字モードとの識別、当てはめは本実施形態に限定するものでは無い。無声通話機能付情報通信端末のキー配置の概念図を図２３にしめす。
【０１８１】
〈実施形態９の構成〉
【０１８２】
図２４に本実施形態における機能ブロック図の一例を示す。図２４に示す本実施形態の「無声通話機能付情報通信端末」（２４００）は、「音声通話処理部」（２４０１）と、「文字通話処理部」（２４０２）と、「制御部」（２４０５）と、「第二オフフックキー部」（２４１６）と、を有する。
【０１８３】
「音声通話処理部」（２４０１）には音声モードを実行するためのマイクを含む。「音声通話処理部」（２４０１）は、実施形態１の図２で説明したものと同様であり、既に述べているためここでの説明は省略する。
【０１８４】
「文字通話処理部」（２４２４）は文字モードを実行するため文字入力に応じて音声を出力する。「文字通話処理部」（２４２４）は、実施形態１の図２で説明したものと同様であり、既に述べているためここでの説明は省略する。
【０１８５】
「第二オフフックキー部」（２４１６）は音声モードと、文字モードと、を長押し短押しにて識別するためのオフフックキーである。「第二オフフックキー部」（２４１６）とは具体的には、第二オフフックキー部が長押しされたか短押しされたかの情報を制御部へ送信するものである。
【０１８６】
「制御部」（２４０５）は各処理部を制御する。「制御部」は具体的には以下の処理を行う。「音声通話処理部」（２４０１）から外部へ音声データを出力させ、「文字通話処理部」（２４０２）から外部へ文字コードに対応する音声データを出力させるものである。また、「第二オフフックキー部」（２４１６）から短押し情報を得た場合には、「無声通話機能付情報通信端末」（２４００）を音声モードとするものでる。さらに「第二オフフックキー部」（２４１６）から長短押し情報を得た場合には、「無声通話機能付情報通信端末」（２４００）を文字モードとするものである。
【０１８７】
「制御部」（２４０５）は各処理部を制御する。「制御部」は具体的には以下の制御を行う。まず、「第二オフフックキー部」（２６１６）を制御し、第二オフフックキー部からキー押下情報を得て短押しと識別した場合には、「無声通話機能付情報通信端末」（２４００）を音声モードとする。そして「音声通話処理部」（２４０１）を制御し、「音声通話処理部」から外部へ音声データを出力させる。また、第二オフフックキー部から情キー押下報を得て長押しと識別した場合には、「無声通話機能付情報通信端末」（２４００）を文字モードとする。そして「文字通話処理部」（２４０２）を制御し、「文字通話処理部」から外部へ文字コードに対応する音声データを出力させる。
【０１８８】
「長押し短押しにて識別する」方法とは、具体的には、以下の方法が考えられる。第一には、「第二オフフックキー部」が押下されている間は'Ｌｏｗ'信号、押下されていない間は'Ｈｉ'信号を「第二オフフックキー部」から制御部へ出力するハードウェア構成として、前記'Ｌｏｗ'信号期間を制御部のタイマー機能で測定して、制御部が予め定められた閾値よりも長いと判断したときは「長押し」、短いと判断したときには「短押し」と判断する方法が考えられる。第二には、「第二オフフックキー部」が押下されている間、短パルス（例えば１００ｍｓ時間幅の矩形波）を制御部へ出力するハードウェア構成とし、前記短パルスのパルス数を制御部のカウンターで測定して、制御部が予め定められた閾値よりもパルス数が多いと判断したときは「長押し」、少ないと判断したときには「短押し」と判断する方法が考えられる。
【０１８９】
〈実施形態９の処理の流れとハードウェア構成〉
【０１９０】
図２５、図２６、図２７に本実施形態における処理の流れの一例を示す。図２５はメインルーチン、図２６は音声モードのルーチン、図２７は文字モードのルーチンである。また図２８に本実施形態におけるハードウェア構成を示す。図２８は、実施形態１における図６の「第一ボタン」と「第二ボタン」とを「第二オフフックキー」（２８１６）に置き換えた構成となっている。
【０１９１】
具体的には、図２５に示すメインルーチン（Ｓ２５００）は、実施形態１における図３のステップＳ０３０１を「第二オフフックキー短押し判定」（Ｓ２５１２）、ステップＳ０３０２を「第二オフフックキー長押し判定」（Ｓ２５１３）、に置き換えた処理となっている。すなわち「制御部」は、第二オフフックキーの短押し／長押し判定により、音声モードや文字モードへの処理切り替えを行っている。その他の処理は実施形態１の図３で説明したものと同様であり、既に述べているためここでの説明は省略する。
【０１９２】
図２６に示す音声モード（Ｓ２６００）は、実施形態７における図２０のステップＳ２００４を「第二オフフックキー長押し判定」（Ｓ２６０６）に置き換えた処理となっている。すなわち「制御部」は、音声モード中での文字モードへの切り替えを「第二オフフックキー長押し判定」により行っている。その他の処理は実施形態７の図２０で説明したものと同様であり、既に述べているためここでの説明は省略する。
【０１９３】
図２７に示す文字モード（Ｓ２７００）は、実施形態８における図２２のステップＳ２２１１を「オフフックキー短押し判定」（Ｓ２７１３）に置き換えた処理となっている。すなわち「制御部」は、文字モード中での音声モードへの切り替えを「第二オフフックキー短押し判定」により行っている。その他の処理は実施形態８の図２２で説明したものと同様であり、既に述べているためここでの説明は省略する。
【０１９４】
〈実施形態９の効果〉
【０１９５】
２つのオフフックキーを用いる方法と比較すると、無声通話機能付情報通信端末をコンパクトにできるという効果を奏する。
【０１９６】
また、前述の実施形態と同様な効果を奏する。具体的には、ユーザーによる音声モードと文字モードの切り替えを第二オフフックキーの短押し／長押しにより行えるようにすることによって、ユーザーがオンフック状態から文字モードで通話したい場合でも、オフフックと文字モードの選択までが同時に行われる。そのため、ユーザーにとって文字モードでの通話までに手間がかかる煩わしさを解消できるという効果を奏する。また、文字モードでの通話までに手間がかからないので、相手への応答が遅れてしまうなどの問題を解消できるという効果を奏する。また、文字モードや音声モードで通話中に、通話環境の変化などで他方のモードへ切替たい場合でも一旦電話を切らずに行え、かつ、マイクＯＮ／ＯＦＦの操作も必要としないので、切替に手間がかかるというユーザーにとっての煩わしさを解消でき、かつ、相手への応答が遅れてしまうなどの問題を解消できるという効果を奏する。
【０１９７】
〈〈実施形態１０〉〉
【０１９８】
〈実施形態１０の概要〉
【０１９９】
本実施形態の概要は、オフフックキーを１つ設け、音声モードと、文字モードと、をトグル切替えできるようにすることを特徴とするものである。本実施形態では、オンフック状態から各モードへ移行する際、長押し短押しにて音声モードと文字モードとを識別するものとし、音声モードや文字モード中ではトグル切り替えを可能としている。概念図は実施形態９の図２３と同様であり、既に述べているためここでの説明は省略する。
【０２００】
〈実施形態１０の構成〉
【０２０１】
図２９に本実施形態における機能ブロック図の一例を示す。図２４に示す本実施形態の「無声通話機能付情報通信端末」（２９００）は、「音声通話処理部」（２９０１）と、「文字通話処理部」（２９０２）と、「制御部」（２９０５）と、「切替キー部」（２９１７）と、を有する。「音声通話処理部」（２９０１）には「マイク」（２９０６）を含む。
【０２０２】
「音声通話処理部」（２９０１）は音声モードを実行するためのマイクを含む。「音声通話処理部」（２９０１）は、実施形態１の図２で説明したものと同様であり、既に述べているためここでの説明は省略する。
【０２０３】
「文字通話処理部」（２９２４）は文字モードを実行するため文字入力に応じて音声を出力する。「文字通話処理部」（２９２４）は、実施形態１の図２で説明したものと同様であり、既に述べているためここでの説明は省略する。
【０２０４】
「切替キー部」（２９１７）は音声モードと、文字モードと、をトグル切替えする。「切替キー部」（２９１７）とは具体的には、切替キー部が押された情報を制御部へ送信するものである。
【０２０５】
「トグル切替する」とは、具体的には以下の方法が考えられる。第一には、切替キー部が１度押下されたら押下されている期間にかかわらず固定パルス幅の'Ｌｏｗ'信号を制御部へ出力し、押下されていない間は'Ｈｉ'信号を制御部へ出力する、いわゆるワンショットパルス出力のハードウェア構成とする。そして、制御部は'Ｌｏｗ'パルスを得る都度、音声モード／文字モードの制御を切替える方法である。第二には、切替キー部としていわゆるトグルキーを採用し、トグルキーが倒れた方向により制御部へ出力する信号レベルを違える（一方に倒れたときは'Ｈｉ'、他方に倒れたときは'Ｌｏｗ'などとする）。制御部は'Ｈｉ'信号を得たときには音声モードに制御を設定し、Ｌｏｗ'  信号を得たときには文字モードに制御を設定する方法である。
【０２０６】
「制御部」（２９０５）は各処理部を制御する。「制御部」は具体的には以下の制御を行う。
【０２０７】
オンフック状態では、切替キーの単なる押下情報のみでは音声モードと、文字モードとを識別できないため実施形態９と同様、切替キー部の長押し短押しにて識別させる。
【０２０８】
オフフック状態の音声モード中では、まず、「切替キー部」（２９１７）を制御し、切替キー部の押下情報を得た場合には、「無声通話機能付情報通信端末」（２９００）を文字モードとする。そして「文字通話処理部」（２９０２）を制御し、「文字通話処理部」から外部へ文字コードに対応する音声データを出力させる。オフフック状態の文字モード中に切替キー部の押下情報を得た場合には、「無声通話機能付情報通信端末」（２９００）を音声モードとする。そして「音声通話処理部」（２９０１）を制御し、「音声通話処理部」から外部へ音声データを出力させる。
【０２０９】
制御部が「切替キー部の押下情報」を得る方法は、前記実施形態１における「ボタン押下情報」を得る方法と同様な手段で実現でき、既に述べているためここでの説明は省略する。
【０２１０】
〈実施形態１０の処理の流れとハードウェア構成〉
【０２１１】
図３０、図３１、図３２に本実施形態における処理の流れの一例を示す。図３０はメインルーチン、図３１は音声モードのルーチン、図３２は文字モードのルーチンである。また図３３に本実施形態におけるハードウェア構成を示す。図３３は、実施形態９における図２８の「第二オフフックキー」を「切替キー」（３３１７）に置き換えた構成となっている。
【０２１２】
具体的には、図３０に示すメインルーチン（Ｓ３０００）は、実施形態９の図２５のステップＳ２５１２を「切替キー短押し判定」（Ｓ３０１４）、ステップＳ２５１３を「切替キー長押し判定」（Ｓ３０１５）に置き換えたものである。図２５と比較して判定対象のキーが異なるのみで、判定方法は同様であり、既に述べているためここでの説明は省略する。
【０２１３】
図３１に示す音声モード（Ｓ３１００）は、実施形態９における図２６のステップＳ２６０６を「切替キー押下判定」（Ｓ３１０７）に置き換えた処理となっている。すなわち「制御部」は、音声モード中での文字モードへの切り替えを「切替キー押下判定」により行っている。その他の処理は実施形態９の図２６で説明したものと同様であり、既に述べているためここでの説明は省略する。
【０２１４】
図３２に示す文字モード（Ｓ３２００）は、実施形態９における図２７のステップＳ２７１３を「切替キー押下判定」（Ｓ３２１４）に置き換えた処理となっている。すなわち「制御部」は、文字モード中での音声モードへの切り替えを「切替キー押下判定」により行っている。その他の処理は実施形態９の図２７で説明したものと同様であり、既に述べているためここでの説明は省略する。
【０２１５】
〈実施形態１０の効果〉
【０２１６】
ユーザーによる音声モードと文字モードの切り替えを、切替キーのトグル切替で行えるようにすることによって、文字モードや音声モードで通話中に、通話環境の変化などで他方のモードへ切替たい場合でも一旦電話を切らずに行え、かつ、マイクＯＮ／ＯＦＦの操作も必要としないので、切替に手間がかかるというユーザーにとっての煩わしさを解消でき、かつ、相手への応答が遅れてしまうなどの問題を解消できるという効果を奏する。
【０２１７】
〈〈実施形態１１〉〉
【０２１８】
〈実施形態１１の概要〉
【０２１９】
本実施形態の概要は、無声通話機能付情報通信端末において、過去の通話において音声モードにて通話したか文字モードにて通話したかを、例えば通話相手毎に通話履歴表示部の表示で知ることができる機能を有することを特徴とする。
【０２２０】
〈実施形態１１の構成〉
【０２２１】
図３４に本実施形態における機能ブロック図の一例を示す。図３４に示す本実施形態の「無声通話機能付情報通信端末」（３４００）は、「音声通話処理部」（３４０１）と、「文字通話処理部」（３４０２）と、「音声通話用オフフックキー部」（３４０３）と、「文字通話用オフフックキー部」（３４０４）と、「制御部」（３４０５）と、「マナーモード部」（３４１２）と、「通話履歴情報記録部」（３４１８）と、「通話履歴表示部」（３４１９）と、を有する。「音声通話処理部」（３４０１）には「マイク」（３４０６）を含む。「音声通話用オフフックキー部」（３４０３）には「第一ボタン」（３４０７）を含む。「文字通話用オフフックキー部」（３４０４）には「第二ボタン」（３４０８）を含む。「制御部」（３４０５）には、「マイクＯＦＦ手段」（３４０９）と、「無声発呼処理手段」（３４１０）と、「無声応答処理手段」（３４１１）と、「マナーモード対応制御手段」（３４１３）と、「第二マイクＯＦＦ手段」（３４１４）と、「マイクＯＮ手段」（３４１５）と、を含む。
【０２２２】
本実施形態は、無声通話機能付情報通信端末に「通話履歴情報記録部」（３４１８）と「通話履歴表示部」（３４１９）とを有することを特徴とするものである。図３４は実施形態８をベースに「通話履歴情報記録部」（３４１８）と「通話履歴表示部」（３４１９）を付加した構成としているが、本実施形態は、これに限定されるものでは無く実施形態１から１０のいずれか１つをベースとするものである。よって、「通話履歴情報記録部」（３４１８）と「通話履歴表示部」（３４１９）を除く各構成については実施形態１から１０のどれか１つであってよい。これらは既に述べた通りであるため、ここでの説明は省略する。
【０２２３】
「通話履歴情報記録部」（３４１８）は音声通話処理部にて通話を実行したか、文字通話処理部にて通話を実行したかを示す通話履歴情報を記録する。「通話履歴情報記録部」（３４１８）とは具体的には、通話時に音声モードで通話したか文字モードで通話したかが制御部により記録され、制御部の要求に応じて記録したデータを制御部へ受け渡すものであり、ハードディスク又はメモリ（ＲＡＭやフラッシュメモリ）などで構成される。
【０２２４】
ここで「通話履歴情報」は、具体的には、通話相手の属性（名前や電話番号などの情報）と通話履歴（通話日時や音声モードでの通話か文字モードでの通話かなどの情報）とが関係づけられた情報である。
【０２２５】
「通話履歴表示部」（３４１９）は通話履歴情報記録部にて記録されている通話履歴情報に基づいて通話履歴を表示する。「通話履歴表示部」（３４１９）とは具体的には、通話履歴情報をディスプレイへ表示させるための制御を制御部からうけるものである。例えば、通話相手の属性や通話履歴（通話日時や音声モードでの通話か文字モードでの通話かなどの情報）などを表示させるものである。
【０２２６】
〈実施形態１１の処理の流れとハードウェア構成〉
【０２２７】
図３５、図３６、図３７、図３８に本実施形態における処理の流れの一例を示す。図３５は音声モードの処理、図３６は文字モードでの処理、図３７はメインルーチンの処理、図３８はメインルーチン内での通話履歴表示処理を示す。
【０２２８】
ハードウェア構成を図３９に示す。図３９は実施形態６と比較して通話履歴情報記録部（３９１８）を追加した構成である。本実施形態は、これに限定されるものでは無く実施形態１から１０のいずれか１つをベースとするものである。よって、通話履歴情報記録部（３９１８）以外の構成は実施形態１から１０のいずれか１つであってよい。これらは既に述べた通りであるため、ここでの説明は省略する。
【０２２９】
処理の流れは具体的には以下の通りである。
【０２３０】
図３５の「音声モード」（Ｓ３５００）には、通話履歴情報記録部へ、音声モードで通話したという情報付きの通話履歴情報を記録するステップ（Ｓ３５０８）を含む。図３５は実施形態７をベースにステップＳ３５０８を付加した構成としているが、本実施形態は、これに限定されるものでは無く実施形態１から１０のいずれか１つをベースとするものである。よって、ステップＳ３５０８以外の処理は実施形態１から１０のいずれか１つであってよい。これらは既に述べた通りであるため、ここでの説明は省略する。
【０２３１】
また、図３６の「文字モード」（Ｓ３６００）には、通話履歴情報記録部へ、文字モードで通話したという情報付きの通話履歴情報を記録するステップ（Ｓ３６１５）を含む。図３６は実施形態８をベースにステップＳ３６１５を付加した構成としているが、本実施形態は、これに限定されるものでは無く実施形態１から１０のいずれか１つをベースとするものである。よって、ステップＳ３６１５以外の処理は実施形態１から１０のいずれか１つであってよい。これらは既に述べた通りであるため、ここでの説明は省略する。
【０２３２】
図３７の「メインルーチン」（Ｓ３７００）には、通話履歴表示部へ通話履歴表示させるステップ（Ｓ３７１６）を含む。図３７は実施形態６の図１７をベースにステップＳ３７１６を付加した構成としているが、本実施形態は、これに限定されるものでは無く実施形態１から１０のいずれか１つをベースとするものである。よって、ステップＳ３７１６以外の処理は実施形態１から１０のいずれか１つであってよい。これらは既に述べた通りであるため、ここでの説明は省略する。
【０２３３】
図３８の「通話履歴表示」（Ｓ３８００）は、以下の処理を行う。通話履歴表示を行う場合（Ｓ３８０１）は、「制御部」は「通話履歴情報記録部」から通話履歴情報を得ると（Ｓ３８０２）、通話履歴表示部へ通話履歴情報の表示制御コマンド出力を行う（Ｓ３８０３）。通話履歴表示を行わない場合（Ｓ３８０１）は、そのままメインルーチンへ戻る。
【０２３４】
〈実施形態１１の効果〉
【０２３５】
本実施形態において、ユーザーは過去の通話を音声モードで行ったか文字モードで行ったかを確認出来、
その後の通話で過去の通話履歴に応じた通話を選択できる利便性をもつという効果を奏する。
【０２３６】
〈実施形態１２の概要〉
【０２３７】
本実施形態の概要は、実施形態１で説明したように、過去の通話において音声モードにて通話したか文字モードにて通話したかをユーザーが通話相手毎に通話履歴表示部の表示で知る際、アイコン又は／及び文字の色別表示により、ユーザーが容易に知ることができるという機能を有することを特徴とする。
【０２３８】
〈実施形態１２の構成〉
【０２３９】
図４０に本実施形態における機能ブロック図の一例を示す。図４０に示す本実施形態の「無声通話機能付情報通信端末」（４０００）は、「音声通話処理部」（４００１）と、「文字通話処理部」（４００２）と、「音声通話用オフフックキー部」（４００３）と、「文字通話用オフフックキー部」（４００４）と、「制御部」（４００５）と、「マナーモード部」（４０１２）と、「通話履歴情報記録部」（４０１８）と、「通話履歴表示部」（４０１９）と、を有する。「音声通話処理部」（４００１）には「マイク」（４００６）を含む。「音声通話用オフフックキー部」（４００３）には「第一ボタン」（４００７）を含む。「文字通話用オフフックキー部」（４００４）には「第二ボタン」（４００８）を含む。「制御部」（４００５）には、「マイクＯＦＦ手段」（４００９）と、「無声発呼処理手段」（４０１０）と、「無声応答処理手段」（４０１１）と、「マナーモード対応制御手段」（４０１３）と、「第二マイクＯＦＦ手段」（４０１４）と、「マイクＯＮ手段」（４０１５）と、「簡易表示手段」（４０２０）と、を含む。
【０２４０】
本実施形態は、無声通話機能付情報通信端末に「簡易表示手段」（４０２０）を有することを特徴とするものである。図４０は実施形態１１をベースに「簡易表示手段」（４０２０）を付加した構成としている。
【０２４１】
「通話履歴表示部」（４０１９）は、音声通話処理部にて通話を実行したか、文字通話処理部にて通話を実行したかをアイコン又は／及び文字の色別表示により示す「簡易表示手段」（４０２０）を有する。すなわち「簡易表示手段」（４０２０）とは、「通話履歴情報記録部」（４０１８）より通話履歴情報を得て、通話履歴情報に基づき、「通話履歴表示部」（４０１９）への制御方法を「音声モード」と「文字モード」との間で変えるものである。
【０２４２】
具体的には、アイコン又は／及び文字の色別表示の違いにより、「音声モード」と「文字モード」との間で変えて表示させ、過去の通話が「音声モード」であったか「文字モード」であったかをユーザーが容易に判定できるようにするものである。すなわちアイコンや色の相違は、人間にとって"音声モード"や"文字モード"といった文字の相違よりも識別し易い（すなわち文字認識より画像認識の方が容易であり、アイコンや色の相違の方が明確にかつ短時間で識別可能）ため、「音声モード」と「文字モード」をユーザーが容易に判定できる。
【０２４３】
アイコンにより違いを出す方法としては、具体な例として、「音声モード」に相当する情報に対しては人が声を発生しているアイコンを用い、「文字モード」に相当する情報に対しては"文字"の型を模したアイコンを用いる方法などが考えられる。
【０２４４】
「文字の色」により違いを出す方法としては、具体的な例として、「音声モード」に相当する情報に対しては他の文字と同じ文字色を用い、「文字モード」に相当する情報に対しては一連の情報全体を赤く表示させるなどの方法が考えられる。
【０２４５】
本実施形態において「アイコン又は／及び文字の色別表示」に関し、人間にとって単なる文字の相違よりも識別が容易になる方法であれば、他の方法で識別する手段を採用しても良い。具体的には、ダイオードなどの光の色の違い、文字の点滅方法／文字の大きさ／フォント／反転非反転などで違いを出しても有効である。さらには、ディスプレイの上下や左右で音声モードでの通話と文字モードでの通話を分類して表示しても有効である。
【０２４６】
アイコンの型のデータは、ハードディスクやメモリなどに記録し、表示が必要な場合にはそのデータを読み出して使用する。
【０２４７】
〈実施形態１２の処理の流れとハードウェア構成〉
【０２４８】
図４１に本実施形態における処理の流れの一例を示す。図４１はメインルーチン内での通話履歴表示処理を示す。通話履歴表示処理以外の、メインルーチン、音声モード、文字モードの処理は実施形態１１の図３５から３７と同様であり、既に述べているためここでの説明は省略する。またハードウェア構成は実施形態１１の図３９と同様であり、既に述べているためここでの説明は省略する。
【０２４９】
具体的には、図４１の「通話履歴表示」（Ｓ４１００）は、以下の処理を行う。通話履歴表示を行う場合（Ｓ４１０１）は、「制御部」は「通話履歴情報記録部」から通話履歴情報を得る（Ｓ４１０２）。「制御部」は、得られた通話履歴情報に文字モードであった情報を含むと判定した場合は（Ｓ４１０４）、通話履歴表示部に対して文字通話履歴情報の簡易表示制御コマンド出力を行う（Ｓ４１０５）。「制御部」は、得られた通話履歴情報に音声モードであった情報を含むと判定した場合は（Ｓ４１０４）、通話履歴表示部に対して音声通話履歴情報の簡易表示制御コマンド出力を行う（Ｓ４１０６）。通話履歴表示を行わない場合（Ｓ４１０１）は、そのままメインルーチンへ戻る。
【０２５０】
〈実施形態１２の効果〉
【０２５１】
本実施形態において、ユーザーは過去の通話を音声モードで行ったか文字モードで行ったかをディスプレイの上のアイコンや文字の色別表示で簡単に確認出来、その後の通話で過去の通話履歴に応じた通話を選択できる利便性をもつという効果を奏する。
【符号の説明】
【０２５２】
０２００  無声通話機能付情報通信端末
０２０１  音声通話処理部
０２０２  文字通話処理部
０２０３  音声通話用オフフックキー部
０２０４  文字通話用オフフックキー部
０２０５  制御部
０２０６  マイク
０２０７  第一ボタン
０２０８  第二ボタン
【図１】
2011139505.tif 000003
【図２】
2011139505.tif 000004
【図３】
2011139505.tif 000005
【図４】
2011139505.tif 000006
【図５】
2011139505.tif 000007
【図６】
2011139505.tif 000008
【図７】
2011139505.tif 000009
【図８】
2011139505.tif 000010
【図９】
2011139505.tif 000011
【図１０】
2011139505.tif 000012
【図１１】
2011139505.tif 000013
【図１２】
2011139505.tif 000014
【図１３】
2011139505.tif 000015
【図１４】
2011139505.tif 000016
【図１５】
2011139505.tif 000017
【図１６】
2011139505.tif 000018
【図１７】
2011139505.tif 000019
【図１８】
2011139505.tif 000020
【図１９】
2011139505.tif 000021
【図２０】
2011139505.tif 000022
【図２１】
2011139505.tif 000023
【図２２】
2011139505.tif 000024
【図２３】
2011139505.tif 000025
【図２４】
2011139505.tif 000026
【図２５】
2011139505.tif 000027
【図２６】
2011139505.tif 000028
【図２７】
2011139505.tif 000029
【図２８】
2011139505.tif 000030
【図２９】
2011139505.tif 000031
【図３０】
2011139505.tif 000032
【図３１】
2011139505.tif 000033
【図３２】
2011139505.tif 000034
【図３３】
2011139505.tif 000035
【図３４】
2011139505.tif 000036
【図３５】
2011139505.tif 000037
【図３６】
2011139505.tif 000038
【図３７】
2011139505.tif 000039
【図３８】
2011139505.tif 000040
【図３９】
2011139505.tif 000041
【図４０】
2011139505.tif 000042
【図４１】
2011139505.tif 000043